(57)【特許請求の範囲】
【請求項１】
吸着剤を空気と接触させるための複数の吸着素子（８１，８２）と、冷媒を循環させて冷凍サイクルを行う冷媒回路（１００）と備え、
第１の吸着素子（８１）で第１空気を減湿すると同時に第２の吸着素子（８２）を第２空気で再生する第１動作と、第１の吸着素子（８１）を第２空気で再生すると同時に第２の吸着素子（８２）で第１空気を減湿する第２動作とを交互に行い、
上記吸着素子（８１，８２）で減湿された第１空気又は上記吸着素子（８１，８２）で加湿された第２空気を室内へ供給する調湿装置であって、
上記冷媒回路（１００）には、圧縮機（１０１）と、上記吸着素子（８１，８２）へ供給される第２空気を冷媒と熱交換させて凝縮器になる凝縮用熱交換器（１０２）と、膨張機構（１１０，…）と、上記吸着素子（８１，８２）で減湿された第１空気を冷媒と熱交換させて蒸発器になる蒸発用熱交換器（１０３，１０４）とが設けられる一方、
第１動作と第２動作が相互に切り換わる際に上記蒸発用熱交換器（１０３，１０４）での冷媒の吸熱量の増加を抑制するための動作を行う制御手段（２００）を備えている調湿装置。
【請求項２】
吸着剤を空気と接触させるための複数の吸着素子（８１，８２）と、冷媒を循環させて冷凍サイクルを行う冷媒回路（１００）と備え、
第１の吸着素子（８１）で第１空気を減湿すると同時に第２の吸着素子（８２）を第２空気で再生する第１動作と、第１の吸着素子（８１）を第２空気で再生すると同時に第２の吸着素子（８２）で第１空気を減湿する第２動作とを交互に行い、
上記吸着素子（８１，８２）で減湿された第１空気又は上記吸着素子（８１，８２）で加湿された第２空気を室内へ供給する調湿装置であって、
上記冷媒回路（１００）には、容量可変の圧縮機（１０１）と、上記吸着素子（８１，８２）へ供給される第２空気を冷媒と熱交換させて凝縮器になる凝縮用熱交換器（１０２）と、膨張機構（１１０，…）と、上記吸着素子（８１，８２）で減湿された第１空気を冷媒と熱交換させて蒸発器になる蒸発用熱交換器（１０３，１０４）とが設けられる一方、
第１動作と第２動作が相互に切り換わる際に上記圧縮機（１０１）の容量を強制的に引き下げる制御手段（２００）を備えている調湿装置。
【請求項３】
吸着剤を空気と接触させるための複数の吸着素子（８１，８２）と、冷媒を循環させて冷凍サイクルを行う冷媒回路（１００）と備え、
第１の吸着素子（８１）で第１空気を減湿すると同時に第２の吸着素子（８２）を第２空気で再生する第１動作と、第１の吸着素子（８１）を第２空気で再生すると同時に第２の吸着素子（８２）で第１空気を減湿する第２動作とを交互に行い、
上記吸着素子（８１，８２）で減湿された第１空気又は上記吸着素子（８１，８２）で加湿された第２空気を室内へ供給する調湿装置であって、
上記冷媒回路（１００）には、圧縮機（１０１）と、上記吸着素子（８１，８２）へ供給される第２空気を冷媒と熱交換させて凝縮器になる凝縮用熱交換器（１０２）と、開度可変の膨張弁（１１０，…）と、上記吸着素子（８１，８２）で減湿された第１空気を冷媒と熱交換させて蒸発器になる蒸発用熱交換器（１０３，１０４）とが設けられる一方、
第１動作と第２動作が相互に切り換わる際に上記膨張弁（１１０，…）の開度を強制的に拡大する制御手段（２００）を備えている調湿装置。
【請求項４】
吸着剤を空気と接触させるための複数の吸着素子（８１，８２）と、冷媒を循環させて冷凍サイクルを行う冷媒回路（１００）と備え、
第１の吸着素子（８１）で第１空気を減湿すると同時に第２の吸着素子（８２）を第２空気で再生する第１動作と、第１の吸着素子（８１）を第２空気で再生すると同時に第２の吸着素子（８２）で第１空気を減湿する第２動作とを交互に行い、
上記吸着素子（８１，８２）で減湿された第１空気又は上記吸着素子（８１，８２）で加湿された第２空気を室内へ供給する調湿装置であって、
上記冷媒回路（１００）には、圧縮機（１０１）と、上記吸着素子（８１，８２）へ供給される第２空気を冷媒と熱交換させて凝縮器になる凝縮用熱交換器（１０２）と、膨張機構（１１０，…）と、上記吸着素子（８１，８２）で減湿された第１空気を冷媒と熱交換させて蒸発器になる蒸発用熱交換器（１０３，１０４）とが設けられる一方、
第１動作と第２動作が相互に切り換わる際に第１空気の流量を一時的に削減する制御手段（２００）を備えている調湿装置。
【請求項５】
吸着剤を空気と接触させるための複数の吸着素子（８１，８２）と、冷媒を循環させて冷凍サイクルを行う冷媒回路（１００）と備え、
第１の吸着素子（８１）で第１空気を減湿すると同時に第２の吸着素子（８２）を第２空気で再生する第１動作と、第１の吸着素子（８１）を第２空気で再生すると同時に第２の吸着素子（８２）で第１空気を減湿する第２動作とを交互に行い、
上記吸着素子（８１，８２）で減湿された第１空気又は上記吸着素子（８１，８２）で加湿された第２空気を室内へ供給する調湿装置であって、
上記冷媒回路（１００）には、容量可変の圧縮機（１０１）と、上記吸着素子（８１，８２）へ供給される第２空気を冷媒と熱交換させて凝縮器になる凝縮用熱交換器（１０２）と、膨張機構（１１０，…）と、上記吸着素子（８１，８２）で減湿された第１空気を冷媒と熱交換させて蒸発器になる蒸発用熱交換器（１０３，１０４）とが設けられる一方、
上記圧縮機（１０１）の容量を強制的に引き下げてから第１動作と第２動作を相互に切り換える制御手段（２００）を備えている調湿装置。
【請求項６】
吸着剤を空気と接触させるための複数の吸着素子（８１，８２）と、冷媒を循環させて冷凍サイクルを行う冷媒回路（１００）と備え、
第１の吸着素子（８１）で第１空気を減湿すると同時に第２の吸着素子（８２）を第２空気で再生する第１動作と、第１の吸着素子（８１）を第２空気で再生すると同時に第２の吸着素子（８２）で第１空気を減湿する第２動作とを交互に行い、
上記吸着素子（８１，８２）で減湿された第１空気又は上記吸着素子（８１，８２）で加湿された第２空気を室内へ供給する調湿装置であって、
上記冷媒回路（１００）には、圧縮機（１０１）と、上記吸着素子（８１，８２）へ供給される第２空気を冷媒と熱交換させて凝縮器になる凝縮用熱交換器（１０２）と、開度可変の膨張弁（１１０，…）と、上記吸着素子（８１，８２）で減湿された第１空気を冷媒と熱交換させて蒸発器になる蒸発用熱交換器（１０３，１０４）とが設けられる一方、
上記膨張弁（１１０，…）の開度を強制的に拡大してから第１動作と第２動作を相互に切り換える制御手段（２００）を備えている調湿装置。
【発明の詳細な説明】
【０００１】
【発明の属する技術分野】
本発明は、空気の湿度調節を行う調湿装置に関するものである。
【０００２】
【従来の技術】
従来より、吸着剤を用いて空気の湿度調節を行う調湿装置が知られている。例えば、特開平１０−９６３３号公報には、吸着剤と空気を接触させるための吸着素子を２つ備えてバッチ式の動作を行う調湿装置が開示されている。また、この調湿装置には、冷凍サイクルを行う冷媒回路が設けられている。
【０００３】
上記調湿装置は、第１の吸着素子で処理空気が減湿されて第２の吸着素子が再生される第１動作と、第１の吸着素子が再生されて第２の吸着素子で処理空気が減湿される第２動作とを交互に繰り返す。その際、処理空気は、吸着素子で減湿され、更に冷媒回路の蒸発器で冷却されてから室内へ供給される。また、再生空気は、冷媒回路の凝縮器で加熱されてから吸着素子へ供給される。そして、高温の再生空気が供給された吸着素子から水分が脱離し、その吸着素子が再生される。このように、上記調湿装置の冷媒回路では、その凝縮器において吸着素子へ送られる再生空気と冷媒が熱交換し、その蒸発器において吸着素子から出た処理空気と冷媒が熱交換する。
【０００４】
【発明が解決しようとする課題】
しかしながら、上記調湿装置では、第１動作と第２動作を相互に切り換える際に処理空気の温度が急激に変化する。この点について、第１動作から第２動作へ切り換わる場合を例に説明する。
【０００５】
この場合、切り換え直前における第１の吸着素子は、吸着能力の低い状態となっている。このため、第１の吸着素子では、発生する吸着熱は少なくなっている。その後、第１動作から第２動作へ切り換わると、第２の吸着素子に対して処理空気が送られる。この第２の吸着素子は、それまで再生空気により再生されており、吸着能力の高い状態となっている。従って、第２の吸着素子では多量の吸着熱が発生し、減湿後の処理空気の温度が急激に上昇する。
【０００６】
このように、上記調湿装置では、第１動作と第２動作を相互に切り換えてからしばらくは、蒸発器における冷媒と処理空気の温度差が拡大し、冷媒が処理空気から吸収する熱量が増大する。そして、蒸発器における冷媒の吸熱量が増えると、それに伴って凝縮器における冷媒の放熱量が増大する。このことは、凝縮器での再生空気に対する加熱量が増大することを意味する。
【０００７】
ところが、第１動作と第２動作を相互に切り換える以前においても、凝縮器での再生空気に対する加熱量は必要な分だけ確保されている。従って、凝縮器では再生空気に対して過剰に熱を与えていることとなり、その分だけ圧縮機では必要以上のエネルギが消費されることとなる。つまり、第１動作と第２動作の相互切り換え後しばらくは、圧縮機に対する入力が過剰な状態となり、その分だけ調湿装置の運転に要するエネルギが嵩むという問題があった。
【０００８】
本発明は、かかる点に鑑みてなされたものであり、その目的とするところは、いわゆるバッチ動作を行う調湿装置において、調湿装置の運転に要するエネルギを削減することにある。
【０００９】
【課題を解決するための手段】
本発明が講じた第１の解決手段は、吸着剤を空気と接触させるための複数の吸着素子（８１，８２）と、冷媒を循環させて冷凍サイクルを行う冷媒回路（１００）と備え、第１の吸着素子（８１）で第１空気を減湿すると同時に第２の吸着素子（８２）を第２空気で再生する第１動作と、第１の吸着素子（８１）を第２空気で再生すると同時に第２の吸着素子（８２）で第１空気を減湿する第２動作とを交互に行い、上記吸着素子（８１，８２）で減湿された第１空気又は上記吸着素子（８１，８２）で加湿された第２空気を室内へ供給する調湿装置を対象としている。
【００１０】
そして、上記冷媒回路（１００）には、圧縮機（１０１）と、上記吸着素子（８１，８２）へ供給される第２空気を冷媒と熱交換させて凝縮器になる凝縮用熱交換器（１０２）と、膨張機構（１１０，…）と、上記吸着素子（８１，８２）で減湿された第１空気を冷媒と熱交換させて蒸発器になる蒸発用熱交換器（１０３，１０４）とが設けられる一方、第１動作と第２動作が相互に切り換わる際に上記蒸発用熱交換器（１０３，１０４）での冷媒の吸熱量の増加を抑制するための動作を行う制御手段（２００）を備えるものである。
【００１１】
本発明が講じた第２の解決手段は、吸着剤を空気と接触させるための複数の吸着素子（８１，８２）と、冷媒を循環させて冷凍サイクルを行う冷媒回路（１００）と備え、第１の吸着素子（８１）で第１空気を減湿すると同時に第２の吸着素子（８２）を第２空気で再生する第１動作と、第１の吸着素子（８１）を第２空気で再生すると同時に第２の吸着素子（８２）で第１空気を減湿する第２動作とを交互に行い、上記吸着素子（８１，８２）で減湿された第１空気又は上記吸着素子（８１，８２）で加湿された第２空気を室内へ供給する調湿装置を対象としている。
【００１２】
そして、上記冷媒回路（１００）には、容量可変の圧縮機（１０１）と、上記吸着素子（８１，８２）へ供給される第２空気を冷媒と熱交換させて凝縮器になる凝縮用熱交換器（１０２）と、膨張機構（１１０，…）と、上記吸着素子（８１，８２）で減湿された第１空気を冷媒と熱交換させて蒸発器になる蒸発用熱交換器（１０３，１０４）とが設けられる一方、第１動作と第２動作が相互に切り換わる際に上記圧縮機（１０１）の容量を強制的に引き下げる制御手段（２００）を備えるものである。
【００１３】
本発明が講じた第３の解決手段は、吸着剤を空気と接触させるための複数の吸着素子（８１，８２）と、冷媒を循環させて冷凍サイクルを行う冷媒回路（１００）と備え、第１の吸着素子（８１）で第１空気を減湿すると同時に第２の吸着素子（８２）を第２空気で再生する第１動作と、第１の吸着素子（８１）を第２空気で再生すると同時に第２の吸着素子（８２）で第１空気を減湿する第２動作とを交互に行い、上記吸着素子（８１，８２）で減湿された第１空気又は上記吸着素子（８１，８２）で加湿された第２空気を室内へ供給する調湿装置を対象としている。
【００１４】
そして、上記冷媒回路（１００）には、圧縮機（１０１）と、上記吸着素子（８１，８２）へ供給される第２空気を冷媒と熱交換させて凝縮器になる凝縮用熱交換器（１０２）と、開度可変の膨張弁（１１０，…）と、上記吸着素子（８１，８２）で減湿された第１空気を冷媒と熱交換させて蒸発器になる蒸発用熱交換器（１０３，１０４）とが設けられる一方、第１動作と第２動作が相互に切り換わる際に上記膨張弁（１１０，…）の開度を強制的に拡大する制御手段（２００）を備えるものである。
【００１５】
本発明が講じた第４の解決手段は、吸着剤を空気と接触させるための複数の吸着素子（８１，８２）と、冷媒を循環させて冷凍サイクルを行う冷媒回路（１００）と備え、第１の吸着素子（８１）で第１空気を減湿すると同時に第２の吸着素子（８２）を第２空気で再生する第１動作と、第１の吸着素子（８１）を第２空気で再生すると同時に第２の吸着素子（８２）で第１空気を減湿する第２動作とを交互に行い、上記吸着素子（８１，８２）で減湿された第１空気又は上記吸着素子（８１，８２）で加湿された第２空気を室内へ供給する調湿装置を対象としている。
【００１６】
そして、上記冷媒回路（１００）には、圧縮機（１０１）と、上記吸着素子（８１，８２）へ供給される第２空気を冷媒と熱交換させて凝縮器になる凝縮用熱交換器（１０２）と、膨張機構（１１０，…）と、上記吸着素子（８１，８２）で減湿された第１空気を冷媒と熱交換させて蒸発器になる蒸発用熱交換器（１０３，１０４）とが設けられる一方、第１動作と第２動作が相互に切り換わる際に第１空気の流量を一時的に削減する制御手段（２００）を備えるものである。
【００１７】
本発明が講じた第５の解決手段は、吸着剤を空気と接触させるための複数の吸着素子（８１，８２）と、冷媒を循環させて冷凍サイクルを行う冷媒回路（１００）と備え、第１の吸着素子（８１）で第１空気を減湿すると同時に第２の吸着素子（８２）を第２空気で再生する第１動作と、第１の吸着素子（８１）を第２空気で再生すると同時に第２の吸着素子（８２）で第１空気を減湿する第２動作とを交互に行い、上記吸着素子（８１，８２）で減湿された第１空気又は上記吸着素子（８１，８２）で加湿された第２空気を室内へ供給する調湿装置を対象としている。
【００１８】
そして、上記冷媒回路（１００）には、容量可変の圧縮機（１０１）と、上記吸着素子（８１，８２）へ供給される第２空気を冷媒と熱交換させて凝縮器になる凝縮用熱交換器（１０２）と、膨張機構（１１０，…）と、上記吸着素子（８１，８２）で減湿された第１空気を冷媒と熱交換させて蒸発器になる蒸発用熱交換器（１０３，１０４）とが設けられる一方、上記圧縮機（１０１）の容量を強制的に引き下げてから第１動作と第２動作を相互に切り換える制御手段（２００）を備えるものである。
【００１９】
本発明が講じた第６の解決手段は、吸着剤を空気と接触させるための複数の吸着素子（８１，８２）と、冷媒を循環させて冷凍サイクルを行う冷媒回路（１００）と備え、第１の吸着素子（８１）で第１空気を減湿すると同時に第２の吸着素子（８２）を第２空気で再生する第１動作と、第１の吸着素子（８１）を第２空気で再生すると同時に第２の吸着素子（８２）で第１空気を減湿する第２動作とを交互に行い、上記吸着素子（８１，８２）で減湿された第１空気又は上記吸着素子（８１，８２）で加湿された第２空気を室内へ供給する調湿装置を対象としている。
【００２０】
そして、上記冷媒回路（１００）には、圧縮機（１０１）と、上記吸着素子（８１，８２）へ供給される第２空気を冷媒と熱交換させて凝縮器になる凝縮用熱交換器（１０２）と、開度可変の膨張弁（１１０，…）と、上記吸着素子（８１，８２）で減湿された第１空気を冷媒と熱交換させて蒸発器になる蒸発用熱交換器（１０３，１０４）とが設けられる一方、上記膨張弁（１１０，…）の開度を強制的に拡大してから第１動作と第２動作を相互に切り換える制御手段（２００）を備えるものである。
【００２１】
−作用−
上記第１から第６までの各解決手段では、調湿装置において、第１動作と第２動作とが交互に繰り返される。この調湿装置は、吸着素子（８１，８２）で減湿された第１空気を室内へ供給する運転、又は吸着素子（８１，８２）で加湿された第２空気を室内へ供給する運転を行う。尚、これら解決手段の調湿装置は、減湿された第１空気を室内へ供給する運転と、加湿された第２空気を室内へ供給する運転とのうち何れか一方のみを行うものであってもよいし、これら２つの運転を切り換えて行うものであってもよい。
【００２２】
これらの各解決手段において、調湿装置の冷媒回路（１００）では、冷媒を循環させて冷凍サイクルが行われる。その際、凝縮用熱交換器（１０２）は、凝縮器として機能し、吸着素子（８１，８２）へ送られる第２空気を冷媒と熱交換させる。一方、蒸発用熱交換器（１０３，１０４）は、蒸発器として機能し、吸着素子（８１，８２）から出た第１空気を冷媒と熱交換させる。
【００２３】
尚、これら各解決手段において、冷媒回路（１００）に設けられる蒸発用熱交換器（１０３，１０４）は、１つでもよいし複数でもよい。また、冷媒回路（１００）に複数の蒸発用熱交換器（１０３，１０４）を設ける場合には、冷媒回路（１００）の運転中に全ての蒸発用熱交換器（１０３，１０４）が同時に蒸発器となる必要はなく、蒸発器となる蒸発用熱交換器（１０３，１０４）が適宜切り換えられるものであってもよい。
【００２４】
これら各解決手段の調湿装置において、第１動作時には、第１の吸着素子（８１）へ第１空気が送られる。第１の吸着素子（８１）では、第１空気中の水分が吸着剤に吸着され、第１空気が減湿される。第１の吸着素子（８１）で減湿された第１空気は、蒸発用熱交換器（１０３，１０４）へ送られて冷媒と熱交換する。また、第２の吸着素子（８２）へは、凝縮用熱交換器（１０２）で加熱された第２空気が供給される。第２の吸着素子（８２）では、第２空気によって吸着剤が加熱され、吸着剤から水分が脱離する。つまり、第２の吸着素子（８２）が再生される。
【００２５】
一方、第２動作時には、第２の吸着素子（８２）へ第１空気が送られる。第２の吸着素子（８２）では、第１空気中の水分が吸着剤に吸着され、第１空気が減湿される。第２の吸着素子（８２）で減湿された第１空気は、蒸発用熱交換器（１０３，１０４）へ送られて冷媒と熱交換する。また、第１の吸着素子（８１）へは、凝縮用熱交換器（１０２）で加熱された第２空気が供給される。第１の吸着素子（８１）では、第２空気によって吸着剤が加熱され、吸着剤から水分が脱離する。つまり、第１の吸着素子（８１）が再生される。
【００２６】
このように、第１動作から第２動作へ、あるいは第２動作から第１動作へ切り換わる直前には、既に多量の水分を吸着して吸着能力が低下した状態の吸着素子（８１，８２）へ第１空気が送られる。一方、第１動作から第２動作へ、あるいは第２動作から第１動作へ切り換わった直後には、再生の終了直後で吸着能力が高い状態の吸着素子（８１，８２）へ第１空気が送られる。従って、第１動作と第２動作を相互に切り換えたときには、吸着素子（８１，８２）で発生する吸着熱が急増し、蒸発用熱交換器（１０３，１０４）へ送られる第１空気の温度が急激に上昇する。
【００２７】
上記第１の解決手段では、第１動作から第２動作へ切り換わるとき、あるいは第２動作から第１動作へ切り換わるときに、制御手段（２００）が所定の制御動作を行う。この制御手段（２００）の動作により、蒸発用熱交換器（１０３，１０４）へ送られる第１空気の温度が急激に上昇しても、蒸発用熱交換器（１０３，１０４）で冷媒が第１空気から吸収する熱量の増大は抑制される。
【００２８】
上記第２の解決手段では、容量を変更可能な圧縮機（１０１）が冷媒回路（１００）に設けられる。そして、第１動作から第２動作へ切り換わるとき、あるいは第２動作から第１動作へ切り換わるときに、制御手段（２００）が圧縮機（１０１）の容量を強制的に引き下げる制御動作を行う。圧縮機（１０１）の容量を引き下げると、蒸発用熱交換器（１０３，１０４）に対する冷媒の供給量が減少する。蒸発用熱交換器（１０３，１０４）での冷媒流量が減少すると、蒸発用熱交換器（１０３，１０４）へ送られる第１空気の温度が急激に上昇しても、蒸発用熱交換器（１０３，１０４）で冷媒が第１空気から吸収する熱量の増大は抑制される。
【００２９】
上記第３の解決手段では、開度を変更可能な膨張弁（１１０，…）が冷媒回路（１００）に設けられる。そして、第１動作から第２動作へ切り換わるとき、あるいは第２動作から第１動作へ切り換わるときに、制御手段（２００）が膨張弁（１１０，…）の開度を強制的に拡大する制御動作を行う。膨張弁（１１０，…）の開度を拡大すると、減圧後の低圧冷媒の圧力が上昇し、蒸発用熱交換器（１０３，１０４）における冷媒の蒸発温度が上昇する。蒸発用熱交換器（１０３，１０４）での冷媒蒸発温度が上昇すると、蒸発用熱交換器（１０３，１０４）へ送られる第１空気の温度が急激に上昇しても、蒸発用熱交換器（１０３，１０４）で冷媒が第１空気から吸収する熱量の増大は抑制される。
【００３０】
上記第４の解決手段では、第１動作から第２動作へ切り換わるとき、あるいは第２動作から第１動作へ切り換わるときに、制御手段（２００）が第１空気の流量を一時的に削減する制御動作を行う。つまり、制御手段（２００）の制御動作により、蒸発用熱交換器（１０３，１０４）で冷媒と熱交換する第１空気の流量が減少する。蒸発用熱交換器（１０３，１０４）に対する第１空気の供給量が減少すると、その第１空気の温度が急激に上昇しても、蒸発用熱交換器（１０３，１０４）で冷媒が第１空気から吸収する熱量の増大は抑制される。
【００３１】
上記第５の解決手段では、容量を変更可能な圧縮機（１０１）が冷媒回路（１００）に設けられる。そして、第１動作から第２動作への切り換え、あるいは第２動作から第１動作への切り換えが行われる前に、制御手段（２００）は、圧縮機（１０１）の容量を強制的に引き下げる制御動作を行う。圧縮機（１０１）の容量を予め引き下げておくと、第１動作と第２動作の相互切り換えが完了したときには、既に蒸発用熱交換器（１０３，１０４）への冷媒供給量が充分に減少している。そして、蒸発用熱交換器（１０３，１０４）での冷媒流量が充分に削減されているため、蒸発用熱交換器（１０３，１０４）へ送られる第１空気の温度が急激に上昇しても、蒸発用熱交換器（１０３，１０４）で冷媒が第１空気から吸収する熱量の増大は抑制される。
【００３２】
上記第６の解決手段では、開度を変更可能な膨張弁（１１０，…）が冷媒回路（１００）に設けられる。そして、第１動作から第２動作への切り換え、あるいは第２動作から第１動作への切り換えが行われる前に、制御手段（２００）は、膨張弁（１１０，…）の開度を強制的に拡大する制御動作を行う。膨張弁（１１０，…）の開度を予め拡大しておくと、第１動作と第２動作の相互切り換えが完了したときには、既に減圧後の低圧冷媒の圧力が上昇し、蒸発用熱交換器（１０３，１０４）での冷媒蒸発温度も充分に上昇している。そして、蒸発用熱交換器（１０３，１０４）での冷媒蒸発温度が充分に高くなっているため、蒸発用熱交換器（１０３，１０４）へ送られる第１空気の温度が急激に上昇しても、蒸発用熱交換器（１０３，１０４）で冷媒が第１空気から吸収する熱量の増大は抑制される。
【００３３】
【発明の効果】
本発明によれば、第１動作と第２動作の相互切り換えによって第１空気の温度が急激に上昇した場合であっても、蒸発用熱交換器（１０３，１０４）で冷媒が第１空気から吸収する熱量の増大を抑制し、凝縮用熱交換器（１０２）で第２空気へ付与される熱量が過剰となるのを回避できる。このため、第１動作と第２動作を相互に切り換えた後においても、圧縮機（１０１）への入力については、凝縮用熱交換器（１０２）で第２空気へ付与すべき熱量を確保するのに必要な分だけに留めることができる。従って、本発明によれば、圧縮機（１０１）に対する入力を必要最小限に留めることができ、その結果、調湿装置の運転に要するエネルギを削減することができる。
【００３４】
上記第２，第５の解決手段によれば、第１動作と第２動作を相互に切り換えた後において、圧縮機（１０１）を容量の小さい状態で運転することができる。つまり、蒸発用熱交換器（１０３，１０４）へ送られる第１空気の温度が上昇することによって凝縮用熱交換器（１０２）での第２空気に対する加熱量が稼げる運転状態では、圧縮機（１０１）を容量の小さい状態で運転できる。従って、これら各解決手段によれば、圧縮機（１０１）に対する入力を削減することができる。
【００３５】
特に、上記第５の解決手段では、第１動作と第２動作を相互に切り換える前に、圧縮機（１０１）の容量調節を行っている。このため、第１動作と第２動作の相互切り換えが完了した時点において、圧縮機（１０１）を容量を充分に小さい状態とすることができる。従って、この解決手段によれば、圧縮機（１０１）に対する入力を確実に削減できる。
【００３６】
上記第３，第６の解決手段によれば、第１動作と第２動作を相互に切り換えた後において、膨張弁（１１０，…）の開度を大きく設定できる。つまり、蒸発用熱交換器（１０３，１０４）へ送られる第１空気の温度が上昇した運転状態では、この第１空気の温度上昇に合わせて蒸発用熱交換器（１０３，１０４）での冷媒蒸発温度を引き上げることができる。このため、蒸発用熱交換器（１０３，１０４）の出口における冷媒の過熱度、即ち圧縮機（１０１）へ吸入される冷媒の過熱度が大きくなり過ぎるのを回避できる。従って、これらの解決手段によれば、第１空気の温度が上昇した場合にも圧縮機（１０１）が吸入する冷媒の過熱度を小さく保つことができ、圧縮機（１０１）に対する入力を削減することができる。
【００３７】
特に、上記第６の解決手段では、第１動作と第２動作を相互に切り換える前に、膨張弁（１１０，…）の開度調節を行っている。このため、第１動作と第２動作の相互切り換えが完了した時点において、蒸発用熱交換器（１０３，１０４）での冷媒蒸発温度を充分に高い状態とすることができる。従って、この解決手段によれば、圧縮機（１０１）が吸入する冷媒の過熱度を小さく保ち、圧縮機（１０１）に対する入力を確実に削減できる。
【００３８】
上記第４の解決手段によれば、第１動作と第２動作を相互に切り換えた後において、第１空気の流量を一時的に低く設定できる。つまり、蒸発用熱交換器（１０３，１０４）へ送られる第１空気の温度が上昇した運転状態では、温度上昇した第１空気の流量を削減することができる。このため、蒸発用熱交換器（１０３，１０４）の出口における冷媒の過熱度、即ち圧縮機（１０１）へ吸入される冷媒の過熱度が大きくなり過ぎるのを回避できる。従って、この解決手段によれば、第１空気の温度が上昇した場合にも圧縮機（１０１）が吸入する冷媒の過熱度を小さく保つことができ、圧縮機（１０１）に対する入力を確実に削減することができる。
【００３９】
【発明の実施の形態１】
以下、本発明の実施形態を図面に基づいて詳細に説明する。尚、以下の説明において、「上」  「下」  「左」  「右」  「前」  「後」  「手前」  「奥」  は、何れも参照する図面におけるものを意味している。
【００４０】
本実施形態に係る調湿装置は、減湿された空気が室内へ供給される除湿運転と、加湿された空気が室内へ供給される加湿運転とを切り換えて行うように構成されている。また、この調湿装置は、冷媒回路（１００）と２つの吸着素子（８１，８２）とを備え、いわゆるバッチ式の動作を行うように構成されている。つまり、この調湿装置は、除湿運転中や加湿運転中において、第１動作と第２動作を交互に繰り返すように構成されている。ここでは、本実施形態に係る調湿装置の構成について、図１，図５，図６，図７を参照しながら説明する。
【００４１】
《調湿装置の全体構成》
図１，図５に示すように、上記調湿装置は、やや扁平な直方体状のケーシング（１０）を備えている。このケーシング（１０）には、２つの吸着素子（８１，８２）と、冷媒回路（１００）とが収納されている。冷媒回路（１００）には、再生熱交換器（１０２）、第１熱交換器（１０３）、及び第２熱交換器（１０４）が設けられている。尚、冷媒回路（１００）の詳細については後述する。
【００４２】
図６に示すように、上記吸着素子（８１，８２）は、平板状の平板部材（８３）と波形状の波板部材（８４）とを交互に積層して構成されている。平板部材（８３）は、その長辺の長さＬ１がその短辺の長さＬ２の２．５倍となる長方形状に形成されている。つまり、この平板部材（８３）では、Ｌ１／Ｌ２＝２．５となっている。尚、ここに示した数値は単なる例示である。波板部材（８４）は、隣接する波板部材（８４）の稜線方向が互いに９０°ずれる姿勢で積層されている。そして、吸着素子（８１，８２）は、全体として直方体状ないし四角柱状に形成されている。
【００４３】
上記吸着素子（８１，８２）には、平板部材（８３）及び波板部材（８４）の積層方向において、調湿側通路（８５）と冷却側通路（８６）とが平板部材（８３）を挟んで交互に区画形成されている。この吸着素子（８１，８２）において、平板部材（８３）の長辺側の側面に調湿側通路（８５）が開口し、平板部材（８３）の短辺側の側面に冷却側通路（８６）が開口している。また、この吸着素子（８１，８２）において、同図の手前側と奥側の端面は、調湿側通路（８５）と冷却側通路（８６）の何れも開口しない閉塞面を構成している。
【００４４】
上記吸着素子（８１，８２）において、調湿側通路（８５）に臨む平板部材（８３）の表面や、調湿側通路（８５）に設けられた波板部材（８４）の表面には、水蒸気を吸着するための吸着剤が塗布されている。この種の吸着剤としては、例えばシリカゲル、ゼオライト、イオン交換樹脂等が挙げられる。
【００４５】
図１に示すように、上記ケーシング（１０）において、最も手前側には室外側パネル（１１）が設けられ、最も奥側には室内側パネル（１２）が設けられている。室外側パネル（１１）には、その左端寄りに室外側吸込口（１３）が形成され、その右端寄りに室外側吹出口（１６）が形成されている。一方、室内側パネル（１２）には、その左端寄りに室内側吹出口（１４）が形成され、その右端寄りに室内側吸込口（１５）が形成されている。
【００４６】
ケーシング（１０）の内部には、手前側から奥側へ向かって順に、第１仕切板（２０）と、第２仕切板（３０）とが設けられている。ケーシング（１０）の内部空間は、これら第１，第２仕切板（２０，３０）によって、前後に仕切られている。
【００４７】
室外側パネル（１１）と第１仕切板（２０）の間の空間は、上側の室外側上部流路（４１）と下側の室外側下部流路（４２）とに区画されている。室外側上部流路（４１）は、室外側吹出口（１６）によって室外空間と連通されている。室外側下部流路（４２）は、室外側吸込口（１３）によって室外空間と連通されている。
【００４８】
室外側パネル（１１）と第１仕切板（２０）の間の空間には、その右端寄りに排気ファン（９６）が設置されている。また、室外側上部流路（４１）には、第２熱交換器（１０４）が設置されている。この第２熱交換器（１０４）は、蒸発用熱交換器を構成している。具体的に、第２熱交換器（１０４）は、いわゆるクロスフィン型のフィン・アンド・チューブ熱交換器であって、排気ファン（９６）へ向けて室外側上部流路（４１）を流れる空気と冷媒回路（１００）の冷媒とを熱交換させるように構成されている。つまり、第２熱交換器（１０４）は、室外へ排出される空気と冷媒とを熱交換させるためのものである。
【００４９】
第１仕切板（２０）には、第１右側開口（２１）、第１左側開口（２２）、第１右上開口（２３）、第１右下開口（２４）、第１左上開口（２５）、及び第１左下開口（２６）が形成されている。これらの開口（２１，２２，…）は、それぞれが開閉シャッタを備えて開閉自在に構成されている。
【００５０】
第１右側開口（２１）及び第１左側開口（２２）は、縦長の長方形状の開口である。第１右側開口（２１）は、第１仕切板（２０）の右端近傍に設けられている。第１左側開口（２２）は、第１仕切板（２０）の左端近傍に設けられている。第１右上開口（２３）、第１右下開口（２４）、第１左上開口（２５）、及び第１左下開口（２６）は、横長の長方形状の開口である。第１右上開口（２３）は、第１仕切板（２０）の上部における第１右側開口（２１）の左隣に設けられている。第１右下開口（２４）は、第１仕切板（２０）の下部における第１右側開口（２１）の左隣に設けられている。第１左上開口（２５）は、第１仕切板（２０）の上部における第１左側開口（２２）の右隣に設けられている。第１左下開口（２６）は、第１仕切板（２０）の下部における第１左側開口（２２）の右隣に設けられている。
【００５１】
第１仕切板（２０）と第２仕切板（３０）の間には、２つの吸着素子（８１，８２）が設置されている。これら吸着素子（８１，８２）は、所定の間隔をおいて左右に並んだ状態に配置されている。具体的には、右寄りに第１吸着素子（８１）が設けられ、左寄りに第２吸着素子（８２）が設けられている。
【００５２】
第１，第２吸着素子（８１，８２）は、それぞれにおける平板部材（８３）及び波板部材（８４）の積層方向がケーシング（１０）の長手方向（図１における手前から奥へ向かう方向）と一致すると共に、それぞれにおける平板部材（８３）等の積層方向が互いに平行となる姿勢で設置されている。更に、各吸着素子（８１，８２）は、左右の側面がケーシング（１０）の側板と、上下面がケーシング（１０）の天板や底板と、前後の端面が室外側パネル（１１）や室内側パネル（１２）とそれぞれ略平行になる姿勢で配置されている。
【００５３】
また、ケーシング（１０）内に設置された各吸着素子（８１，８２）では、その左右の側面に冷却側通路（８６）が開口している。つまり、第１吸着素子（８１）において冷却側通路（８６）の開口する１つの側面と、第２吸着素子（８２）において冷却側通路（８６）の開口する１つの側面とは、互いに向かい合っている。
【００５４】
第１仕切板（２０）と第２仕切板（３０）の間の空間は、右側流路（５１）、左側流路（５２）、右上流路（５３）、右下流路（５４）、左上流路（５５）、左下流路（５６）、及び中央流路（５７）に区画されている。
【００５５】
右側流路（５１）は、第１吸着素子（８１）の右側に形成され、第１吸着素子（８１）の冷却側通路（８６）に連通している。左側流路（５２）は、第２吸着素子（８２）の左側に形成され、第２吸着素子（８２）の冷却側通路（８６）に連通している。
【００５６】
右上流路（５３）は、第１吸着素子（８１）の上側に形成され、第１吸着素子（８１）の調湿側通路（８５）に連通している。右下流路（５４）は、第１吸着素子（８１）の下側に形成され、第１吸着素子（８１）の調湿側通路（８５）に連通している。左上流路（５５）は、第２吸着素子（８２）の上側に形成され、第２吸着素子（８２）の調湿側通路（８５）に連通している。左下流路（５６）は、第２吸着素子（８２）の下側に形成され、第２吸着素子（８２）の調湿側通路（８５）に連通している。
【００５７】
中央流路（５７）は、第１吸着素子（８１）と第２吸着素子（８２）の間に形成され、両吸着素子（８１，８２）の冷却側通路（８６）に連通している。この中央流路（５７）は、図１，図５に現れる流路断面の形状が八角形状となっている。
【００５８】
再生熱交換器（１０２）は、中央流路（５７）に配置されている。つまり、再生熱交換器（１０２）は、左右に並んだ第１吸着素子（８１）と第２吸着素子（８２）の間に設置されている。更に、再生熱交換器（１０２）は、ほぼ垂直に立てられた状態で、中央流路（５７）を左右に仕切るように設けられている。
【００５９】
この再生熱交換器（１０２）は、凝縮用熱交換器を構成している。具体的に、再生熱交換器（１０２）は、いわゆるクロスフィン型のフィン・アンド・チューブ熱交換器であって、中央流路（５７）を流れる空気と冷媒回路（１００）の冷媒とを熱交換させるように構成されている。
【００６０】
第１吸着素子（８１）と再生熱交換器（１０２）の間には、右側シャッタ（６１）が設けられている。この右側シャッタ（６１）は、中央流路（５７）における再生熱交換器（１０２）の右側部分と右下流路（５４）との間を仕切るものであって、開閉自在に構成されている。一方、第２吸着素子（８２）と再生熱交換器（１０２）の間には、左側シャッタ（６２）が設けられている。この左側シャッタ（６２）は、中央流路（５７）における再生熱交換器（１０２）の左側部分と左下流路（５６）との間を仕切るものであって、開閉自在に構成されている。
【００６１】
室外側パネル（１１）と第１仕切板（２０）の間の流路（４１，４２）と、第１仕切板（２０）と第２仕切板（３０）の間の流路（５１，５２，…）とは、第１仕切板（２０）の開口（２１，２２，…）に設けられた開閉シャッタによって、連通状態と遮断状態に切り換えられる。具体的に、第１右側開口（２１）を開口状態とすると、右側流路（５１）と室外側下部流路（４２）が連通する。第１左側開口（２２）を開口状態とすると、左側流路（５２）と室外側下部流路（４２）が連通する。第１右上開口（２３）を開口状態とすると、右上流路（５３）と室外側上部流路（４１）が連通する。第１右下開口（２４）を開口状態とすると、右下流路（５４）と室外側下部流路（４２）が連通する。第１左上開口（２５）を開口状態とすると、左上流路（５５）と室外側上部流路（４１）が連通する。第１左下開口（２６）を開口状態とすると、左下流路（５６）と室外側下部流路（４２）が連通する。
【００６２】
第２仕切板（３０）には、第２右側開口（３１）、第２左側開口（３２）、第２右上開口（３３）、第２右下開口（３４）、第２左上開口（３５）、及び第２左下開口（３６）が形成されている。これらの開口（３１，３２，…）は、それぞれが開閉シャッタを備えて開閉自在に構成されている。
【００６３】
第２右側開口（３１）及び第２左側開口（３２）は、縦長の長方形状の開口である。第２右側開口（３１）は、第２仕切板（３０）の右端近傍に設けられている。第２左側開口（３２）は、第２仕切板（３０）の左端近傍に設けられている。第２右上開口（３３）、第２右下開口（３４）、第２左上開口（３５）、及び第２左下開口（３６）は、横長の長方形状の開口である。第２右上開口（３３）は、第２仕切板（３０）の上部における第２右側開口（３１）の左隣に設けられている。第２右下開口（３４）は、第２仕切板（３０）の下部における第２右側開口（３１）の左隣に設けられている。第２左上開口（３５）は、第２仕切板（３０）の上部における第２左側開口（３２）の右隣に設けられている。第２左下開口（３６）は、第２仕切板（３０）の下部における第２左側開口（３２）の右隣に設けられている。
【００６４】
室内側パネル（１２）と第２仕切板（３０）の間の空間は、上側の室内側上部流路（４６）と下側の室内側下部流路（４７）とに区画されている。室内側上部流路（４６）は、室内側吹出口（１４）によって室内空間と連通されている。室内側下部流路（４７）は、室内側吸込口（１５）によって室内空間と連通されている。
【００６５】
室内側パネル（１２）と第２仕切板（３０）の間の空間には、その左端寄りに給気ファン（９５）が設置されている。また、室内側上部流路（４６）には、第１熱交換器（１０３）が設置されている。この第１熱交換器（１０３）は、蒸発用熱交換器を構成している。具体的に、第１熱交換器（１０３）は、いわゆるクロスフィン型のフィン・アンド・チューブ熱交換器であって、給気ファン（９５）へ向けて室内側上部流路（４６）を流れる空気と冷媒回路（１００）の冷媒とを熱交換させるように構成されている。つまり、第１熱交換器（１０３）は、室内へ供給される空気と冷媒とを熱交換させるためのものである。
【００６６】
第１仕切板（２０）と第２仕切板（３０）の間の流路と、第２仕切板（３０）と室外側パネル（１１）の間の流路とは、第２仕切板（３０）の開口に設けられた開閉シャッタによって、連通状態と遮断状態に切り換えられる。具体的に、第２右側開口（３１）を開口状態とすると、右側流路（５１）と室内側下部流路（４７）が連通する。第２左側開口（３２）を開口状態とすると、左側流路（５２）と室内側下部流路（４７）が連通する。第２右上開口（３３）を開口状態とすると、右上流路（５３）と室内側上部流路（４６）が連通する。第２右下開口（３４）を開口状態とすると、右下流路（５４）と室内側下部流路（４７）が連通する。第２左上開口（３５）を開口状態とすると、左上流路（５５）と室内側上部流路（４６）が連通する。第２左下開口（３６）を開口状態とすると、左下流路（５６）と室内側下部流路（４７）が連通する。
【００６７】
《冷媒回路の構成》
図７に示すように、上記冷媒回路（１００）は、冷媒の充填された閉回路である。冷媒回路（１００）には、圧縮機（１０１）、再生熱交換器（１０２）、第１熱交換器（１０３）、第２熱交換器（１０４）、レシーバ（１０５）、四方切換弁（１２０）、及び電動膨張弁（１１０）が設けられている。この冷媒回路（１００）では、冷媒を循環させることで蒸気圧縮式の冷凍サイクルが行われる。
【００６８】
冷媒回路（１００）において、圧縮機（１０１）の吐出側は、再生熱交換器（１０２）の一端に接続されている。再生熱交換器（１０２）の他端は、レシーバ（１０５）を介して電動膨張弁（１１０）の一端に接続されている。電動膨張弁（１１０）の他端は、四方切換弁（１２０）の第１ポート（１２１）に接続されている。この四方切換弁（１２０）は、その第２ポート（１２２）が第２熱交換器（１０４）の一端に接続され、その第４ポート（１２４）が第１熱交換器（１０３）の一端に接続されている。また、四方切換弁（１２０）の第３ポート（１２３）は、封止されている。第１熱交換器（１０３）の他端と第２熱交換器（１０４）の他端とは、それぞれが圧縮機（１０１）の吸入側に接続されている。
【００６９】
四方切換弁（１２０）は、第１ポート（１２１）と第２ポート（１２２）が互いに連通して第３ポート（１２３）と第４ポート（１２４）が互いに連通する状態と、第１ポート（１２１）と第４ポート（１２４）が互いに連通して第２ポート（１２２）と第３ポート（１２３）が互いに連通する状態とに切り換わる。尚、上述のように、四方切換弁（１２０）の第３ポート（１２３）は、閉塞されている。つまり、本実施形態の冷媒回路（１００）では、四方切換弁（１２０）が三方弁として用いられている。
【００７０】
上記圧縮機（１０１）の圧縮機モータには、インバータを介して交流が供給される。この交流の周波数を変更して圧縮機モータの回転数を変化させれば、圧縮機（１０１）の容量が変化する。つまり、上記圧縮機（１０１）は、その容量が可変となっている。また、上記電動膨張弁（１１０）は、弁体を駆動するためのパルスモータを備え、その開度が可変となっている。
【００７１】
《コントローラの構成》
上記調湿装置には、コントローラ（２００）が設けられている。図８に示すように、コントローラ（２００）には、運転動作切換部（２０１）と、通常制御部（２０２）と、切換用制御部（２０３）とが設けられている。このコントローラ（２００）は、制御手段を構成している。つまり、コントローラ（２００）は、所定の制御パラメータが目標値となるように上記圧縮機（１０１）の容量を調節する一方で、第１動作と第２動作を相互に切り換える際には上記圧縮機（１０１）の容量を強制的に引き下げるように構成されている。
【００７２】
運転動作切換部（２０１）は、除湿運転と加湿運転の切り換えや、第１動作と第２動作の切り換えを行うように構成されている。具体的に、この運転動作切換部（２０１）は、第１及び第２仕切板（２０，３０）の開口（２１，…，３１，…）に設けられた開閉シャッタや右側及び左側シャッタ（６１，６２）の操作の他、四方切換弁（１２０）の操作を行うように構成されている。
【００７３】
通常制御部（２０２）は、第１動作中及び第２動作中に圧縮機（１０１）の容量や電動膨張弁（１１０）の開度を調節する通常の制御動作を行うように構成されている。この通常制御部（２０２）は、制御パラメータが所定の目標値となるように圧縮機（１０１）の容量を調節する。具体的には、再生熱交換器（１０２）から吸着素子（８１，８２）へ送られる第２空気の温度が所定の設定値となるように、圧縮機モータの回転数を増減させる。また、この通常制御部（２０２）は、制御パラメータが所定の目標値となるように電動膨張弁（１１０）の開度を調節する。具体的には、第１又は第２熱交換器（１０３，１０４）の出口における冷媒の過熱度が所定の設定値となるように、電動膨張弁（１１０）の開度を増減させる。
【００７４】
切換用制御部（２０３）は、第１動作と第２動作を相互に切り換える際に圧縮機（１０１）の容量を強制的に引き下げる制御動作を行うように構成されている。つまり、第１動作と第２動作が相互に切り換えられるときに、切換用制御部（２０３）は、圧縮機モータの回転数を強制的に引き下げ、通常制御部（２０２）によって設定された容量よりも小さい容量で圧縮機（１０１）を運転させる。この切換用制御部（２０３）の制御動作は、第１動作と第２動作の相互切り換え時に蒸発器となっている第１又は第２熱交換器（１０３，１０４）で冷媒が吸収する熱量の増大を抑制するために行われる。
【００７５】
−運転動作−
上記調湿装置の運転動作について説明する。この調湿装置は、除湿運転と加湿運転とを切り換えて行う。また、この調湿装置は、第１動作と第２動作とを交互に繰り返すことによって除湿運転や加湿運転を行う。
【００７６】
《除湿運転》
図１，図２に示すように、除湿運転時において、給気ファン（９５）を駆動すると、室外空気が室外側吸込口（１３）を通じてケーシング（１０）内に取り込まれる。この室外空気は、第１空気として室外側下部流路（４２）へ流入する。一方、排気ファン（９６）を駆動すると、室内空気が室内側吸込口（１５）を通じてケーシング（１０）内に取り込まれる。この室内空気は、第２空気として室内側下部流路（４７）へ流入する。
【００７７】
また、除湿運転時において、冷媒回路（１００）では、再生熱交換器（１０２）が凝縮器となり、第１熱交換器（１０３）が蒸発器となる一方、第２熱交換器（１０４）が休止している。この冷媒回路（１００）の動作については後述する。
【００７８】
除湿運転の第１動作について、図１，図５を参照しながら説明する。この第１動作では、第１吸着素子（８１）についての吸着動作と、第２吸着素子（８２）についての再生動作とが行われる。つまり、第１動作では、第１吸着素子（８１）で空気が減湿されると同時に、第２吸着素子（８２）の吸着剤が再生される。
【００７９】
図１に示すように、第１仕切板（２０）では、第１右下開口（２４）と第１左上開口（２５）とが連通状態となり、残りの開口（２１，２２，２３，２６）が遮断状態となっている。この状態では、第１右下開口（２４）によって室外側下部流路（４２）と右下流路（５４）とが連通され、第１左上開口（２５）によって左上流路（５５）と室外側上部流路（４１）とが連通される。
【００８０】
第２仕切板（３０）では、第２右側開口（３１）と第２右上開口（３３）とが連通状態となり、残りの開口（３２，３４，３５，３６）が遮断状態となっている。この状態では、第２右側開口（３１）によって室内側下部流路（４７）と右側流路（５１）とが連通され、第２右上開口（３３）によって右上流路（５３）と室内側上部流路（４６）とが連通される。
【００８１】
右側シャッタ（６１）は閉鎖状態となり、左側シャッタ（６２）は開口状態となっている。この状態では、中央流路（５７）における再生熱交換器（１０２）の左側部分と左下流路（５６）とが、左側シャッタ（６２）を介して連通される。
【００８２】
ケーシング（１０）に取り込まれた第１空気は、室外側下部流路（４２）から第１右下開口（２４）を通って右下流路（５４）へ流入する。一方、ケーシング（１０）に取り込まれた第２空気は、室内側下部流路（４７）から第２右側開口（３１）を通って右側流路（５１）へ流入する。
【００８３】
図５（ａ）にも示すように、右下流路（５４）の第１空気は、第１吸着素子（８１）の調湿側通路（８５）へ流入する。この調湿側通路（８５）を流れる間に、第１空気に含まれる水蒸気が吸着剤に吸着される。第１吸着素子（８１）で減湿された第１空気は、右上流路（５３）へ流入する。
【００８４】
一方、右側流路（５１）の第２空気は、第１吸着素子（８１）の冷却側通路（８６）へ流入する。この冷却側通路（８６）を流れる間に、第２空気は、調湿側通路（８５）で水蒸気が吸着剤に吸着される際に生じた吸着熱を吸熱する。つまり、第２空気は、冷却用流体として冷却側通路（８６）を流れる。吸着熱を奪った第２空気は、中央流路（５７）へ流入して再生熱交換器（１０２）を通過する。その際、再生熱交換器（１０２）では、第２空気が冷媒との熱交換によって加熱される。その後、第２空気は、中央流路（５７）から左下流路（５６）へ流入する。
【００８５】
第１吸着素子（８１）及び再生熱交換器（１０２）で加熱された第２空気は、第２吸着素子（８２）の調湿側通路（８５）へ導入される。この調湿側通路（８５）では、第２空気によって吸着剤が加熱され、吸着剤から水蒸気が脱離する。つまり、第２吸着素子（８２）の再生が行われる。吸着剤から脱離した水蒸気は、第２空気と共に左上流路（５５）へ流入する。
【００８６】
図１に示すように、右上流路（５３）へ流入した減湿後の第１空気は、第２右上開口（３３）を通って室内側上部流路（４６）へ送り込まれる。この第１空気は、室内側上部流路（４６）を流れる間に第１熱交換器（１０３）を通過し、冷媒との熱交換によって冷却される。その後、減湿されて冷却された第１空気は、室内側吹出口（１４）を通って室内へ供給される。
【００８７】
一方、左上流路（５５）へ流入した第２空気は、第１左上開口（２５）を通って室外側上部流路（４１）へ流入する。この第２空気は、室外側上部流路（４１）を流れる間に第２熱交換器（１０４）を通過する。その際、第２熱交換器（１０４）は休止しており、第２空気は加熱も冷却もされない。そして、第１吸着素子（８１）の冷却と第２吸着素子（８２）の再生に利用された第２空気は、室外側吹出口（１６）を通って室外へ排出される。
【００８８】
除湿運転の第２動作について、図２，図５を参照しながら説明する。この第２動作では、第１動作時とは逆に、第２吸着素子（８２）についての吸着動作と、第１吸着素子（８１）についての再生動作とが行われる。つまり、第２動作では、第２吸着素子（８２）で空気が減湿されると同時に、第１吸着素子（８１）の吸着剤が再生される。
【００８９】
図２に示すように、第１仕切板（２０）では、第１右上開口（２３）と第１左下開口（２６）とが連通状態となり、残りの開口（２１，２２，２４，２５）が遮断状態となっている。この状態では、第１右上開口（２３）によって右上流路（５３）と室外側上部流路（４１）とが連通され、第１左下開口（２６）によって室外側下部流路（４２）と左下流路（５６）とが連通される。
【００９０】
第２仕切板（３０）では、第２左側開口（３２）と第２左上開口（３５）とが連通状態となり、残りの開口（３１，３３，３４，３６）が遮断状態となっている。この状態では、第２左側開口（３２）によって室内側下部流路（４７）と左側流路（５２）とが連通され、第２左上開口（３５）によって左上流路（５５）と室内側上部流路（４６）とが連通される。
【００９１】
左側シャッタ（６２）は閉鎖状態となり、右側シャッタ（６１）は開口状態となっている。この状態では、中央流路（５７）における再生熱交換器（１０２）の右側部分と右下流路（５４）とが、右側シャッタ（６１）を介して連通される。
【００９２】
ケーシング（１０）に取り込まれた第１空気は、室外側下部流路（４２）から第１左下開口（２６）を通って左下流路（５６）へ流入する。一方、ケーシング（１０）に取り込まれた第２空気は、室内側下部流路（４７）から第２左側開口（３２）を通って左側流路（５２）へ流入する。
【００９３】
図５（ｂ）にも示すように、左下流路（５６）の第１空気は、第２吸着素子（８２）の調湿側通路（８５）へ流入する。この調湿側通路（８５）を流れる間に、第１空気に含まれる水蒸気が吸着剤に吸着される。第２吸着素子（８２）で減湿された第１空気は、左上流路（５５）へ流入する。
【００９４】
一方、左側流路（５２）の第２空気は、第２吸着素子（８２）の冷却側通路（８６）へ流入する。この冷却側通路（８６）を流れる間に、第２空気は、調湿側通路（８５）で水蒸気が吸着剤に吸着される際に生じた吸着熱を吸熱する。つまり、第２空気は、冷却用流体として冷却側通路（８６）を流れる。吸着熱を奪った第２空気は、中央流路（５７）へ流入して再生熱交換器（１０２）を通過する。その際、再生熱交換器（１０２）では、第２空気が冷媒との熱交換によって加熱される。その後、第２空気は、中央流路（５７）から右下流路（５４）へ流入する。
【００９５】
第２吸着素子（８２）及び再生熱交換器（１０２）で加熱された第２空気は、第１吸着素子（８１）の調湿側通路（８５）へ導入される。この調湿側通路（８５）では、第２空気によって吸着剤が加熱され、吸着剤から水蒸気が脱離する。つまり、第１吸着素子（８１）の再生が行われる。吸着剤から脱離した水蒸気は、第２空気と共に右上流路（５３）へ流入する。
【００９６】
図２に示すように、左上流路（５５）へ流入した減湿後の第１空気は、第２左上開口（３５）を通って室内側上部流路（４６）へ送り込まれる。この第１空気は、室内側上部流路（４６）を流れる間に第１熱交換器（１０３）を通過し、冷媒との熱交換によって冷却される。その後、減湿されて冷却された第１空気は、室内側吹出口（１４）を通って室内へ供給される。
【００９７】
一方、右上流路（５３）へ流入した第２空気は、第１右上開口（２３）を通って室外側上部流路（４１）へ流入する。この第２空気は、室外側上部流路（４１）を流れる間に第２熱交換器（１０４）を通過する。その際、第２熱交換器（１０４）は休止しており、第２空気は加熱も冷却もされない。そして、第２吸着素子（８２）の冷却と第１吸着素子（８１）の再生に利用された第２空気は、室外側吹出口（１６）を通って室外へ排出される。
【００９８】
《加湿運転》
図３，図４に示すように、加湿運転時において、給気ファン（９５）を駆動すると、室外空気が室外側吸込口（１３）を通じてケーシング（１０）内に取り込まれる。この室外空気は、第２空気として室外側下部流路（４２）へ流入する。一方、排気ファン（９６）を駆動すると、室内空気が室内側吸込口（１５）を通じてケーシング（１０）内に取り込まれる。この室内空気は、第１空気として室内側下部流路（４７）へ流入する。
【００９９】
また、加湿運転時において、冷媒回路（１００）では、再生熱交換器（１０２）が凝縮器となり、第２熱交換器（１０４）が蒸発器となる一方、第１熱交換器（１０３）が休止している。この冷媒回路（１００）の動作については後述する。
【０１００】
加湿運転の第１動作について、図３，図５を参照しながら説明する。この第１動作では、第１吸着素子（８１）についての吸着動作と、第２吸着素子（８２）についての再生動作とが行われる。つまり、第１動作では、第２吸着素子（８２）で空気が加湿され、第１吸着素子（８１）の吸着剤が水蒸気を吸着する。
【０１０１】
図３に示すように、第１仕切板（２０）では、第１右側開口（２１）と第１右上開口（２３）とが連通状態となり、残りの開口（２２，２４，２５，２６）が遮断状態となっている。この状態では、第１右側開口（２１）によって室外側下部流路（４２）と右側流路（５１）とが連通され、第１右上開口（２３）によって右上流路（５３）と室外側上部流路（４１）とが連通される。
【０１０２】
第２仕切板（３０）では、第２右下開口（３４）と第２左上開口（３５）とが連通状態となり、残りの開口（３１，３２，３３，３６）が遮断状態となっている。この状態では、第２右下開口（３４）によって室内側下部流路（４７）と右下流路（５４）とが連通され、第２左上開口（３５）によって左上流路（５５）と室内側上部流路（４６）とが連通される。
【０１０３】
右側シャッタ（６１）は閉鎖状態となり、左側シャッタ（６２）は開口状態となっている。この状態では、中央流路（５７）における再生熱交換器（１０２）の左側部分と左下流路（５６）とが、左側シャッタ（６２）を介して連通される。
【０１０４】
ケーシング（１０）に取り込まれた第１空気は、室内側下部流路（４７）から第２右下開口（３４）を通って右下流路（５４）へ流入する。一方、ケーシング（１０）に取り込まれた第２空気は、室外側下部流路（４２）から第１右側開口（２１）を通って右側流路（５１）へ流入する。
【０１０５】
図５（ａ）にも示すように、右下流路（５４）の第１空気は、第１吸着素子（８１）の調湿側通路（８５）へ流入する。この調湿側通路（８５）を流れる間に、第１空気に含まれる水蒸気が吸着剤に吸着される。第１吸着素子（８１）で水分を奪われた第１空気は、右上流路（５３）へ流入する。
【０１０６】
一方、右側流路（５１）の第２空気は、第１吸着素子（８１）の冷却側通路（８６）へ流入する。この冷却側通路（８６）を流れる間に、第２空気は、調湿側通路（８５）で水蒸気が吸着剤に吸着される際に生じた吸着熱を吸熱する。つまり、第２空気は、冷却用流体として冷却側通路（８６）を流れる。吸着熱を奪った第２空気は、中央流路（５７）へ流入して再生熱交換器（１０２）を通過する。その際、再生熱交換器（１０２）では、第２空気が冷媒との熱交換によって加熱される。その後、第２空気は、中央流路（５７）から左下流路（５６）へ流入する。
【０１０７】
第１吸着素子（８１）及び再生熱交換器（１０２）で加熱された第２空気は、第２吸着素子（８２）の調湿側通路（８５）へ導入される。この調湿側通路（８５）では、第２空気によって吸着剤が加熱され、吸着剤から水蒸気が脱離する。つまり、第２吸着素子（８２）の再生が行われる。そして、吸着剤から脱離した水蒸気が第２空気に付与され、第２空気が加湿される。第２吸着素子（８２）で加湿された第２空気は、その後に左上流路（５５）へ流入する。
【０１０８】
図３に示すように、左上流路（５５）へ流入した第２空気は、第２左上開口（３５）を通って室内側上部流路（４６）へ流入する。この第２空気は、室内側上部流路（４６）を流れる間に第１熱交換器（１０３）を通過する。その際、第１熱交換器（１０３）は休止しており、第２空気は加熱も冷却もされない。そして、加湿された第２空気は、室内側吹出口（１４）を通って室内へ供給される。
【０１０９】
一方、右上流路（５３）へ流入した第１空気は、第１右上開口（２３）を通って室外側上部流路（４１）へ送り込まれる。この第１空気は、室外側上部流路（４１）を流れる間に第２熱交換器（１０４）を通過し、冷媒との熱交換によって冷却される。その後、水分と熱を奪われた第１空気は、室外側吹出口（１６）を通って室外へ排出される。
【０１１０】
加湿運転の第２動作について、図４，図５を参照しながら説明する。この第２動作では、第１動作時とは逆に、第２吸着素子（８２）についての吸着動作と、第１吸着素子（８１）についての再生動作とが行われる。つまり、この第２動作では、第１吸着素子（８１）で空気が加湿され、第２吸着素子（８２）の吸着剤が水蒸気を吸着する。
【０１１１】
図４に示すように、第１仕切板（２０）では、第１左側開口（２２）と第１左上開口（２５）とが連通状態となり、残りの開口（２１，２３，２４，２６）が遮断状態となっている。この状態では、第１左側開口（２２）によって室外側下部流路（４２）と左側流路（５２）とが連通され、第１左上開口（２５）によって左上流路（５５）と室外側上部流路（４１）とが連通される。
【０１１２】
第２仕切板（３０）では、第２右上開口（３３）と第２左下開口（３６）とが連通状態となり、残りの開口（３１，３２，３４，３５）が遮断状態となっている。この状態では、第２右上開口（３３）によって右上流路（５３）と室内側上部流路（４６）とが連通され、第２左下開口（３６）によって室内側下部流路（４７）と左下流路（５６）とが連通される。
【０１１３】
左側シャッタ（６２）は閉鎖状態となり、右側シャッタ（６１）は開口状態となっている。この状態では、中央流路（５７）における再生熱交換器（１０２）の右側部分と右下流路（５４）とが、右側シャッタ（６１）を介して連通される。
【０１１４】
ケーシング（１０）に取り込まれた第１空気は、室内側下部流路（４７）から第２左下開口（３６）を通って左下流路（５６）へ流入する。一方、ケーシング（１０）に取り込まれた第２空気は、室外側下部流路（４２）から第１左側開口（２２）を通って左側流路（５２）へ流入する。
【０１１５】
図５（ｂ）にも示すように、左下流路（５６）の第１空気は、第２吸着素子（８２）の調湿側通路（８５）へ流入する。この調湿側通路（８５）を流れる間に、第１空気に含まれる水蒸気が吸着剤に吸着される。第２吸着素子（８２）で水分を奪われた第１空気は、左上流路（５５）へ流入する。
【０１１６】
一方、左側流路（５２）の第２空気は、第２吸着素子（８２）の冷却側通路（８６）へ流入する。この冷却側通路（８６）を流れる間に、第２空気は、調湿側通路（８５）で水蒸気が吸着剤に吸着される際に生じた吸着熱を吸熱する。つまり、第２空気は、冷却用流体として冷却側通路（８６）を流れる。吸着熱を奪った第２空気は、中央流路（５７）へ流入して再生熱交換器（１０２）を通過する。その際、再生熱交換器（１０２）では、第２空気が冷媒との熱交換によって加熱される。その後、第２空気は、中央流路（５７）から右下流路（５４）へ流入する。
【０１１７】
第２吸着素子（８２）及び再生熱交換器（１０２）で加熱された第２空気は、第１吸着素子（８１）の調湿側通路（８５）へ導入される。この調湿側通路（８５）では、第２空気によって吸着剤が加熱され、吸着剤から水蒸気が脱離する。つまり、第１吸着素子（８１）の再生が行われる。そして、吸着剤から脱離した水蒸気が第２空気に付与され、第２空気が加湿される。第１吸着素子（８１）で加湿された第２空気は、その後に右上流路（５３）へ流入する。
【０１１８】
図４に示すように、右上流路（５３）へ流入した第２空気は、第２右上開口（３３）を通って室内側上部流路（４６）へ流入する。この第２空気は、室内側上部流路（４６）を流れる間に第１熱交換器（１０３）を通過する。その際、第１熱交換器（１０３）は休止しており、第２空気は加熱も冷却もされない。そして、加湿された第２空気は、室内側吹出口（１４）を通って室内へ供給される。
【０１１９】
一方、左上流路（５５）へ流入した第１空気は、第１左上開口（２５）を通って室外側上部流路（４１）へ送り込まれる。この第１空気は、室外側上部流路（４１）を流れる間に第２熱交換器（１０４）を通過し、冷媒との熱交換によって冷却される。その後、水分と熱を奪われた第１空気は、室外側吹出口（１６）を通って室外へ排出される。
【０１２０】
《冷媒回路の動作》
冷媒回路（１００）の動作について、図７，図９，図１０を参照しながら説明する。
【０１２１】
除湿運転時の動作について説明する。除湿運転時において、四方切換弁（１２０）は、第１ポート（１２１）と第４ポート（１２４）が互いに連通して第２ポート（１２２）と第３ポート（１２３）が互いに連通する状態となる。また、電動膨張弁（１１０）は、その開度が運転条件に応じて適宜調節される。
【０１２２】
この状態で圧縮機（１０１）を運転すると、冷媒回路（１００）で冷媒が循環して冷凍サイクルが行われる。その際、冷媒回路（１００）では、再生熱交換器（１０２）が凝縮器となり、第１熱交換器（１０３）が蒸発器となり、第２熱交換器（１０４）が休止状態となる（図９参照）。
【０１２３】
具体的に、圧縮機（１０１）から吐出された冷媒は、再生熱交換器（１０２）へ送られる。再生熱交換器（１０２）へ流入した冷媒は、第２空気との熱交換を行い、第２空気に放熱して凝縮する。再生熱交換器（１０２）で凝縮した冷媒は、レシーバ（１０５）を通って電動膨張弁（１１０）へ送られる。この冷媒は、電動膨張弁（１１０）を通過する際に減圧される。電動膨張弁（１１０）で減圧された冷媒は、四方切換弁（１２０）を通って第１熱交換器（１０３）へ送られる。第１熱交換器（１０３）へ流入した冷媒は、第１空気との熱交換を行い、第１空気から吸熱して蒸発する。第１熱交換器（１０３）で蒸発した冷媒は、圧縮機（１０１）へ吸入されて圧縮され、その後に圧縮機（１０１）から吐出される。
【０１２４】
加湿運転時の動作について説明する。加湿運転時において、四方切換弁（１２０）は、第１ポート（１２１）と第２ポート（１２２）が互いに連通して第３ポート（１２３）と第４ポート（１２４）が互いに連通する状態となる。また、電動膨張弁（１１０）は、その開度が運転条件に応じて適宜調節される。
【０１２５】
この状態で圧縮機（１０１）を運転すると、冷媒回路（１００）で冷媒が循環して冷凍サイクルが行われる。その際、冷媒回路（１００）では、再生熱交換器（１０２）が凝縮器となり、第２熱交換器（１０４）が蒸発器となり、第１熱交換器（１０３）が休止状態となる（図１０参照）。
【０１２６】
具体的に、圧縮機（１０１）から吐出された冷媒は、再生熱交換器（１０２）へ送られる。再生熱交換器（１０２）へ流入した冷媒は、第２空気との熱交換を行い、第２空気に放熱して凝縮する。再生熱交換器（１０２）で凝縮した冷媒は、レシーバ（１０５）を通って電動膨張弁（１１０）へ送られる。この冷媒は、電動膨張弁（１１０）を通過する際に減圧される。電動膨張弁（１１０）で減圧された冷媒は、四方切換弁（１２０）を通って第２熱交換器（１０４）へ送られる。第２熱交換器（１０４）へ流入した冷媒は、第１空気との熱交換を行い、第１空気から吸熱して蒸発する。第２熱交換器（１０４）で蒸発した冷媒は、圧縮機（１０１）へ吸入されて圧縮され、その後に圧縮機（１０１）から吐出される。
【０１２７】
《コントローラの動作》
コントローラ（２００）の動作について説明する。運転動作切換部（２０１）は、リモコン等からの入力に応じて除湿運転と加湿運転を切り換える。また、運転動作切換部（２０１）は、除湿運転時や加湿運転時において、第１動作と第２動作を所定の時間毎に相互に切り換える。通常制御部（２０２）は、第１動作中及び第２動作中において、圧縮機（１０１）の容量や電動膨張弁（１１０）の開度を適宜調節する。
【０１２８】
切換用制御部（２０３）は、運転動作切換部（２０１）によって第１動作と第２動作が相互に切り換えられる際に、通常制御部（２０２）の制御動作に割り込むかたちで所定の制御動作を行う。ここでは、切換用制御部（２０３）の制御動作について、第１動作から第２動作へ切り換わる場合を例に説明する。
【０１２９】
図９（ａ）や図１０（ａ）に示すように、第１動作時には、第１吸着素子（８１）へ第１空気が送り込まれ、第２吸着素子（８２）へ再生熱交換器（１０２）で加熱された第２空気が送り込まれる。そして、第１動作から第２動作へ切り換わる直前になると、第１吸着素子（８１）は、多量の水分を吸着して吸着能力が低下した状態となる。従って、その時点において、第１吸着素子（８１）で発生する吸着熱は、それ程多くない。
【０１３０】
この第１動作から第２動作に切り換わると、図９（ｂ）や図１０（ｂ）に示すように、今度は第２吸着素子（８２）へ第１空気が送り込まれる。この時点において、第２吸着素子（８２）は、再生が終了したばかりであって、吸着能力が高い状態となっている。このため、第１動作から第２動作へ切り換わってしばらくは、第２吸着素子（８２）で多量の吸着熱が発生する。つまり、第１動作から第２動作に切り換わると、それに伴って吸着素子（８１，８２）から第１又は第２熱交換器（１０３，１０４）へ送られる第１空気の温度が急上昇する。
【０１３１】
そこで、切換用制御部（２０３）は、第１動作から第２動作への切り換えとほぼ同時に、圧縮機（１０１）の容量を引き下げる。具体的には、圧縮機モータへ供給される交流の周波数を、通常制御部（２０２）の制御動作により設定されていた値から所定値だけ低くする。圧縮機モータへ供給される交流の周波数をどの程度下げるかは、その時の運転条件に基づいて、その度毎に切換用制御部（２０３）が算出する。
【０１３２】
圧縮機（１０１）の容量を引き下げると、蒸発器となっている第１又は第２熱交換器（１０３，１０４）への冷媒供給量が減少する。つまり、除湿運転時であれば第１熱交換器（１０３）に対する冷媒供給量が減少し、加湿運転時であれば第２熱交換器（１０４）に対する冷媒供給量が減少する。
【０１３３】
例えば、除湿運転中に第１動作から第２動作へ切り換わる際には、第１熱交換器（１０３）へ送られる第１空気の温度が急上昇するが、その一方で第１熱交換器（１０３）に対する冷媒供給量が削減される。このため、第１空気の温度が上昇しても、単位時間当たりに第１熱交換器（１０３）で冷媒が第１空気から吸収する熱量は概ね一定に保たれる。そして、圧縮機（１０１）の容量を引き下げたにも拘わらず、再生熱交換器（１０２）で第２空気に与えられる熱量は確保される。
【０１３４】
第１動作から第２動作への切り換え、あるいは第２動作から第１動作への切り換えが完了した後は、通常制御部（２０２）による圧縮機（１０１）の容量制御が再開される。尚、第１動作と第２動作の相互切り換えが完了した後も、所定の時間に亘って切換用制御部（２０３）の制御動作を継続し、圧縮機（１０１）の容量を低く保持し続けてもよい。
【０１３５】
−実施形態１の効果−
本実施形態１によれば、第１動作と第２動作の相互切り換えにより第１空気の温度が急上昇した状態において、圧縮機（１０１）を容量の小さい状態で運転することができる。つまり、蒸発器となっている第１又は第２熱交換器（１０３，１０４）へ送られる第１空気の温度が上昇することによって再生熱交換器（１０２）での第２空気に対する加熱量が稼げる運転状態では、圧縮機（１０１）を容量の小さい状態で運転できる。従って、本実施形態によれば、圧縮機（１０１）に対する入力を低減でき、その結果、調湿装置の消費電力を削減できる。
【０１３６】
−実施形態１の変形例−
上記実施形態１では、コントローラ（２００）の切換用制御部（２０３）を次のように構成してもよい。つまり、本変形例の切換用制御部（２０３）は、運転動作切換部（２０１）が第１動作と第２動作の相互切り換えを行う際に、その切り換えが行われる前に予め圧縮機（１０１）の容量を引き下げておくように構成される。つまり、この切換用制御部（２０３）は、例えば、第１動作と第２動作の相互に切り換えられる３〜５秒前に、圧縮機（１０１）の容量を引き下げる。
【０１３７】
このように圧縮機（１０１）の容量を予め引き下げておくと、第１動作と第２動作の相互切り換えが完了したときには、蒸発器となっている第１又は第２熱交換器（１０３，１０４）への冷媒供給量が既に低下した状態となる。そして、第１又は第２熱交換器（１０３，１０４）での冷媒流量が充分に減少しているため、蒸発用熱交換器（１０３，１０４）へ送られる第１空気の温度が急激に上昇しても、蒸発用熱交換器（１０３，１０４）で冷媒が第１空気から吸収する熱量の増大は抑制される。
【０１３８】
従って、本変形例によれば、第１動作と第２動作の相互切り換えが完了した時点において、圧縮機（１０１）を必要最小限の容量で運転でき、圧縮機モータの消費電力を確実に削減できる。
【０１３９】
【発明の実施の形態２】
本発明の実施形態２は、上記実施形態１において、コントローラ（２００）の切換用制御部（２０３）の構成を変更したものである。本実施形態の調湿装置について、この切換用制御部（２０３）以外の構成は上記実施形態１と同様である。
【０１４０】
本実施形態の切換用制御部（２０３）は、第１動作と第２動作を相互に切り換える際に電動膨張弁（１１０）の開度を強制的に拡大する制御動作を行うように構成されている。つまり、第１動作と第２動作が相互に切り換えられるときに、切換用制御部（２０３）は、電動膨張弁（１１０）の開度を、通常制御部（２０２）によって設定された開度よりも拡大する。この切換用制御部（２０３）の制御動作は、第１動作と第２動作の相互切り換え時に蒸発器となっている第１又は第２熱交換器（１０３，１０４）で冷媒が吸収する熱量の増大を抑制するために行われる。
【０１４１】
−運転動作−
本実施形態の切換用制御部（２０３）が行う制御動作について、第１動作から第２動作へ切り換わる場合を例に説明する。
【０１４２】
切換用制御部（２０３）は、第１動作から第２動作への切り換えとほぼ同時に、電動膨張弁（１１０）の開度を拡大する。具体的には、電動膨張弁（１１０）の開度を、通常制御部（２０２）の制御動作により設定されていた開度から所定値だけ拡大する。電動膨張弁（１１０）の開度をどの程度拡大するかは、その時の運転条件に基づいて、その度毎に切換用制御部（２０３）が算出する。
【０１４３】
電動膨張弁（１１０）の開度を拡大すると、蒸発器となっている第１又は第２熱交換器（１０３，１０４）へ電動膨張弁（１１０）から送られる低圧冷媒の圧力が上昇する。そして、除湿運転時であれば第１熱交換器（１０３）における冷媒蒸発温度が上昇し、加湿運転時であれば第２熱交換器（１０４）における冷媒蒸発温度が上昇する。
【０１４４】
例えば、除湿運転中に第１動作から第２動作へ切り換わる際には、第１熱交換器（１０３）へ送られる第１空気の温度が急上昇するが、その一方で第１熱交換器（１０３）における冷媒蒸発温度も上昇する。このため、第１空気の温度が上昇しても、単位時間当たりに第１熱交換器（１０３）で冷媒が第１空気から吸収する熱量は概ね一定に保たれる。そして、第１熱交換器（１０３）から圧縮機（１０１）へ送られる冷媒の過熱度も、概ね一定に保たれる。
【０１４５】
第１動作から第２動作への切り換え、あるいは第２動作から第１動作への切り換えが完了した後は、通常制御部（２０２）による電動膨張弁（１１０）の開度制御が再開される。尚、第１動作と第２動作の相互切り換えが完了した後も、所定の時間に亘って切換用制御部（２０３）の制御動作を継続し、電動膨張弁（１１０）の開度を大きく保持し続けてもよい。
【０１４６】
−実施形態２の効果−
本実施形態２によれば、第１動作と第２動作を相互に切り換えた後において、電動膨張弁（１１０）の開度を大きく設定できる。つまり、第１又は第２熱交換器（１０３，１０４）へ送られる第１空気の温度が上昇した運転状態では、この第１空気の温度上昇に合わせて第１又は第２熱交換器（１０３，１０４）での冷媒蒸発温度を引き上げることができる。このため、第１又は第２熱交換器（１０３，１０４）の出口における冷媒の過熱度、即ち圧縮機（１０１）へ吸入される冷媒の過熱度が大きくなり過ぎるのを回避できる。従って、本実施形態によれば、第１空気の温度が上昇した場合にも圧縮機（１０１）が吸入する冷媒の過熱度を小さく保つことができ、第１動作と第２動作の相互切換時に電動膨張弁（１１０）を操作しない場合に比べ、圧縮機モータの消費電力を削減することができる。
【０１４７】
−実施形態２の変形例−
上記実施形態１では、コントローラ（２００）の切換用制御部（２０３）を次のように構成してもよい。つまり、本変形例の切換用制御部（２０３）は、運転動作切換部（２０１）が第１動作と第２動作の相互切り換えを行う際に、その切り換えが行われる前に予め電動膨張弁（１１０）の開度を拡大しておくように構成される。つまり、この切換用制御部（２０３）は、例えば、第１動作と第２動作の相互に切り換えられる３〜５秒前に、電動膨張弁（１１０）の開度を拡大する。
【０１４８】
このように電動膨張弁（１１０）の開度を予め拡大しておくと、第１動作と第２動作の相互切り換えが完了したときには、既に減圧後の低圧冷媒の圧力が上昇しており、第１又は第２熱交換器（１０３，１０４）での冷媒蒸発温度も充分に上昇している。そして、第１又は第２熱交換器（１０３，１０４）での冷媒蒸発温度が充分に高くなっているため、第１又は第２熱交換器（１０３，１０４）へ送られる第１空気の温度が急激に上昇しても、第１又は第２熱交換器（１０３，１０４）で冷媒が第１空気から吸収する熱量の増大は抑制される。
【０１４９】
本変形例によれば、第１動作と第２動作の相互切り換えが完了した時点において、第１又は第２熱交換器（１０３，１０４）での冷媒蒸発温度を確実に引き上げておくことができる。従って、圧縮機（１０１）が吸入する冷媒の過熱度を小さく保つことができ、圧縮機モータの消費電力を一層確実に削減できる。
【０１５０】
【発明の実施の形態３】
本発明の実施形態３は、上記実施形態１において、冷媒回路（１００）及びコントローラ（２００）の構成を変更したものである。本実施形態の調湿装置において、冷媒回路（１００）及びコントローラ（２００）以外の構成は、上記実施形態１と同様である。
【０１５１】
《冷媒回路の構成》
図１１に示すように、本実施形態の冷媒回路（１００）は、冷媒の充填された閉回路である。この冷媒回路（１００）には、圧縮機（１０１）、再生熱交換器（１０２）、第１熱交換器（１０３）、第２熱交換器（１０４）、レシーバ（１０５）、及び四方切換弁（１２０）が設けられている。また、冷媒回路（１００）には、電動膨張弁（１１１，１１２）と逆止弁（１５１，１５２）とが２つずつ設けられている。この冷媒回路（１００）では、冷媒を循環させることで蒸気圧縮式の冷凍サイクルが行われる。
【０１５２】
冷媒回路（１００）において、圧縮機（１０１）の吐出側は、再生熱交換器（１０２）の一端と、四方切換弁（１２０）の第１ポート（１２１）とに接続されている。再生熱交換器（１０２）の他端は、レシーバ（１０５）を介して第１電動膨張弁（１１１）の一端と第２電動膨張弁（１１２）の一端とに接続されている。
【０１５３】
第１電動膨張弁（１１１）の他端は、第１逆止弁（１５１）を介して第１熱交換器（１０３）の一端に接続されている。第１熱交換器（１０３）の他端は、四方切換弁（１２０）の第４ポート（１２４）に接続されている。また、第２逆止弁（１５２）は、第１逆止弁（１５１）と第１熱交換器（１０３）の間と、再生熱交換器（１０２）とレシーバ（１０５）の間を接続する配管に設けられている。第１逆止弁（１５１）は、第１電動膨張弁（１１１）から第１熱交換器（１０３）へ向かう冷媒の流通のみを許容するように設置されている。第２逆止弁（１５２）は、第１熱交換器（１０３）からレシーバ（１０５）へ向かう冷媒の流通のみを許容するように設置されている。
【０１５４】
一方、第２電動膨張弁（１１２）の他端は、第２熱交換器（１０４）の一端に接続されている。第２熱交換器（１０４）の他端と四方切換弁（１２０）の第３ポート（１２３）とは、それぞれが圧縮機（１０１）の吸入側に接続されている。また、四方切換弁（１２０）の第２ポート（１２２）は、キャピラリチューブ（ＣＰ）を介して圧縮機（１０１）の吸入側に接続されている。
【０１５５】
四方切換弁（１２０）は、第１ポート（１２１）と第２ポート（１２２）が互いに連通して第３ポート（１２３）と第４ポート（１２４）が互いに連通する状態と、第１ポート（１２１）と第４ポート（１２４）が互いに連通して第２ポート（１２２）と第３ポート（１２３）が互いに連通する状態とに切り換わる。
【０１５６】
尚、上記冷媒回路（１００）では、キャピラリチューブ（ＣＰ）を介して四方切換弁（１２０）の第２ポート（１２２）を圧縮機（１０１）の吸入側に接続しているが、これは液封状態の回避を目的としたものである。つまり、実質的に四方切換弁（１２０）の第２ポート（１２２）は閉塞されており、上記冷媒回路（１００）では四方切換弁（１２０）が三方弁として用いられている。
【０１５７】
上記圧縮機（１０１）の圧縮機モータには、インバータを介して交流が供給される。この交流の周波数を変更して圧縮機モータの回転数を変化させれば、圧縮機（１０１）の容量が変化する。つまり、上記圧縮機（１０１）は、その容量が可変となっている。また、上記第１及び第２電動膨張弁（１１１，１１２）は、弁体を駆動するためのパルスモータを備え、その開度が可変となっている。
【０１５８】
《コントローラの構成》
本実施形態のコントローラ（２００）は、上記実施形態１のものと同様に、運転動作切換部（２０１）と、通常制御部（２０２）と、切換用制御部（２０３）とを備えている（図８参照）。運転動作切換部（２０１）は、除湿運転と加湿運転の切り換えや、第１動作と第２動作の切り換えを行うものであって、上記実施形態１と同様に構成されている。また、通常制御部（２０２）は、第１動作中及び第２動作中に圧縮機（１０１）の容量や第１，第２電動膨張弁（１１１，１１２）の開度を調節する通常の制御動作を行うものであって、上記実施形態１と同様に構成されている。
【０１５９】
本実施形態の切換用制御部（２０３）は、第１動作と第２動作を相互に切り換える際に第１，第２電動膨張弁（１１１，１１２）の開度を強制的に拡大する制御動作を行うように構成されている。つまり、第１動作と第２動作が相互に切り換えられるときに、切換用制御部（２０３）は、第１，第２電動膨張弁（１１１，１１２）の開度を、通常制御部（２０２）によって設定された開度よりも拡大する。この切換用制御部（２０３）の制御動作は、第１動作と第２動作の相互切り換え時に蒸発器となっている第１，第２熱交換器（１０３，１０４）で冷媒が吸収する熱量の増大を抑制するために行われる。ただし、切換用制御部（２０３）は、通常制御部（２０２）による開度調節の対象となっている電動膨張弁（１１１，１１２）の開度だけを変更するように構成されている。この点については後述する。
【０１６０】
−運転動作−
本実施形態の調湿装置は、除湿運転と加湿運転とを切り換えて行う。また、この調湿装置は、第１動作と第２動作とを交互に繰り返すことによって除湿運転や加湿運転を行う。
【０１６１】
上記調湿装置の運転動作は、冷媒回路（１００）の動作を除いて、上記実施形態１と同様である。ここでは、本実施形態の冷媒回路（１００）における動作について、図９〜図１３を参照しながら説明する。尚、図１２，図１３に示す第１空気及び第２空気の流れは、第２動作時のものである。
【０１６２】
《除湿運転》
除湿運転時において、本実施形態の冷媒回路（１００）では、２種類の運転動作が可能である。そして、除湿運転時には、２つの運転動作が適宜選択して行われる。
【０１６３】
除湿運転時の第１運転動作について説明する。この第１運転動作において、四方切換弁（１２０）は、第１ポート（１２１）と第２ポート（１２２）が互いに連通して第３ポート（１２３）と第４ポート（１２４）が互いに連通する状態となる。また、第１電動膨張弁（１１１）は開度が運転条件に応じて適宜調節され、第２電動膨張弁（１１２）は全閉状態とされる。
【０１６４】
この状態で圧縮機（１０１）を運転すると、冷媒回路（１００）で冷媒が循環して冷凍サイクルが行われる。その際、冷媒回路（１００）では、再生熱交換器（１０２）が凝縮器となり、第１熱交換器（１０３）が蒸発器となり、第２熱交換器（１０４）が休止状態となる（図９参照）。つまり、この第１運転動作時の冷媒回路（１００）では、上記実施形態１の除湿運転時と同様の動作が行われる。
【０１６５】
具体的に、圧縮機（１０１）から吐出された冷媒は、再生熱交換器（１０２）へ送られる。再生熱交換器（１０２）へ流入した冷媒は、第２空気との熱交換を行い、第２空気に放熱して凝縮する。再生熱交換器（１０２）で凝縮した冷媒は、レシーバ（１０５）を通って第１電動膨張弁（１１１）へ送られる。この冷媒は、第１電動膨張弁（１１１）を通過する際に減圧され、その後に第１逆止弁（１５１）を通って第１熱交換器（１０３）へ送られる。第１熱交換器（１０３）へ流入した冷媒は、第１空気との熱交換を行い、第１空気から吸熱して蒸発する。第１熱交換器（１０３）で蒸発した冷媒は、四方切換弁（１２０）を通って圧縮機（１０１）へ吸入される。圧縮機（１０１）へ吸入された冷媒は、圧縮された後に吐出される。
【０１６６】
除湿運転時の第２運転動作について説明する。この第２運転動作において、第１ポート（１２１）と第２ポート（１２２）が互いに連通して第３ポート（１２３）と第４ポート（１２４）が互いに連通する状態となる。また、第１電動膨張弁（１１１）と第２電動膨張弁（１１２）は、それぞれの開度が運転条件に応じて適宜調節される。
【０１６７】
この状態で圧縮機（１０１）を運転すると、冷媒回路（１００）で冷媒が循環して冷凍サイクルが行われる。その際、冷媒回路（１００）では、再生熱交換器（１０２）が凝縮器となり、第１熱交換器（１０３）と第２熱交換器（１０４）の両方が蒸発器となる（図１２（ａ）参照）。また、第１熱交換器（１０３）と第２熱交換器（１０４）は、冷媒の循環方向において互いに並列となっている。つまり、この第２運転動作時の冷媒回路（１００）では、上記実施形態１の除湿運転時とは異なり、第２熱交換器（１０４）において冷媒と第２空気の熱交換が行われる。
【０１６８】
具体的に、圧縮機（１０１）から吐出された冷媒は、再生熱交換器（１０２）へ送られる。再生熱交換器（１０２）へ流入した冷媒は、第２空気との熱交換を行い、第２空気に放熱して凝縮する。再生熱交換器（１０２）で凝縮した冷媒は、レシーバ（１０５）を通過した後に二手に分流される。分流された冷媒は、その一方が第１電動膨張弁（１１１）へ送られ、他方が第２電動膨張弁（１１２）へ送られる。
【０１６９】
第１電動膨張弁（１１１）へ送られた冷媒は、第１電動膨張弁（１１１）を通過する際に減圧され、その後に第１逆止弁（１５１）を通って第１熱交換器（１０３）へ送られる。第１熱交換器（１０３）へ流入した冷媒は、第１空気との熱交換を行い、第１空気から吸熱して蒸発する。第１熱交換器（１０３）で蒸発した冷媒は、四方切換弁（１２０）を通って圧縮機（１０１）へ吸入される。
【０１７０】
一方、第２電動膨張弁（１１２）へ送られた冷媒は、第２電動膨張弁（１１２）を通過する際に減圧され、その後に第２熱交換器（１０４）へ送られる。第２熱交換器（１０４）へ流入した冷媒は、第２空気との熱交換を行い、第２空気から吸熱して蒸発する。第２熱交換器（１０４）で蒸発した冷媒は、第１熱交換器（１０３）で蒸発した冷媒と合流した後に圧縮機（１０１）へ吸入される。圧縮機（１０１）へ吸入された冷媒は、圧縮された後に吐出される。
【０１７１】
この第２運転動作時の冷媒回路（１００）で循環する冷媒は、第２熱交換器（１０４）で第２空気から吸熱し、再生熱交換器（１０２）で第２空気へ放熱する。つまり、第２熱交換器（１０４）では室外へ排気される第２空気からの熱回収が行われ、第２熱交換器（１０４）で回収された熱が再生熱交換器（１０２）における第２空気の加熱に再利用される。
【０１７２】
《加湿運転》
加湿運転時において、本実施形態の冷媒回路（１００）では、３種類の運転動作が可能である。そして、加湿運転時には、３つの運転動作が適宜選択して行われる。
【０１７３】
加湿運転時の第１運転動作について説明する。この第１運転動作において、四方切換弁（１２０）は、第１ポート（１２１）と第２ポート（１２２）が互いに連通して第３ポート（１２３）と第４ポート（１２４）が互いに連通する状態となる。また、第１電動膨張弁（１１１）は全閉状態とされ、第２電動膨張弁（１１２）は開度が運転条件に応じて適宜調節される。
【０１７４】
この状態で圧縮機（１０１）を運転すると、冷媒回路（１００）で冷媒が循環して冷凍サイクルが行われる。その際、冷媒回路（１００）では、再生熱交換器（１０２）が凝縮器となり、第２熱交換器（１０４）が蒸発器となり、第１熱交換器（１０３）が休止状態となる（図１０参照）。つまり、この第１運転動作時の冷媒回路（１００）では、上記実施形態１の加湿運転時と同様の動作が行われる。
【０１７５】
具体的に、圧縮機（１０１）から吐出された冷媒は、再生熱交換器（１０２）へ送られる。再生熱交換器（１０２）へ流入した冷媒は、第２空気との熱交換を行い、第２空気に放熱して凝縮する。再生熱交換器（１０２）で凝縮した冷媒は、レシーバ（１０５）を通って第２電動膨張弁（１１２）へ送られる。この冷媒は、第２電動膨張弁（１１２）を通過する際に減圧され、その後に第２熱交換器（１０４）へ送られる。第２熱交換器（１０４）へ流入した冷媒は、第１空気との熱交換を行い、第１空気から吸熱して蒸発する。第２熱交換器（１０４）で蒸発した冷媒は、圧縮機（１０１）へ吸入されて圧縮され、その後に圧縮機（１０１）から吐出される。
【０１７６】
加湿運転時の第２運転動作について説明する。この第２運転動作において、第１ポート（１２１）と第２ポート（１２２）が互いに連通して第３ポート（１２３）と第４ポート（１２４）が互いに連通する状態となる。また、第１電動膨張弁（１１１）と第２電動膨張弁（１１２）は、それぞれの開度が運転条件に応じて適宜調節される。
【０１７７】
この状態で圧縮機（１０１）を運転すると、冷媒回路（１００）で冷媒が循環して冷凍サイクルが行われる。その際、冷媒回路（１００）では、再生熱交換器（１０２）が凝縮器となり、第１熱交換器（１０３）と第２熱交換器（１０４）の両方が蒸発器となる（図１２（ｂ）参照）。また、第１熱交換器（１０３）と第２熱交換器（１０４）は、冷媒の循環方向において互いに並列となっている。つまり、この第２運転動作時の冷媒回路（１００）では、上記実施形態１の加湿運転時とは異なり、第１熱交換器（１０３）において冷媒と第２空気の熱交換が行われる。
【０１７８】
具体的に、圧縮機（１０１）から吐出された冷媒は、再生熱交換器（１０２）へ送られる。再生熱交換器（１０２）へ流入した冷媒は、第２空気との熱交換を行い、第２空気に放熱して凝縮する。再生熱交換器（１０２）で凝縮した冷媒は、レシーバ（１０５）を通過した後に二手に分流される。分流された冷媒は、その一方が第１電動膨張弁（１１１）へ送られ、他方が第２電動膨張弁（１１２）へ送られる。
【０１７９】
第１電動膨張弁（１１１）へ送られた冷媒は、第１電動膨張弁（１１１）を通過する際に減圧され、その後に第１逆止弁（１５１）を通って第１熱交換器（１０３）へ送られる。第１熱交換器（１０３）へ流入した冷媒は、第２空気との熱交換を行い、第２空気から吸熱して蒸発する。第１熱交換器（１０３）で蒸発した冷媒は、四方切換弁（１２０）を通って圧縮機（１０１）へ吸入される。
【０１８０】
一方、第２電動膨張弁（１１２）へ送られた冷媒は、第２電動膨張弁（１１２）を通過する際に減圧され、その後に第２熱交換器（１０４）へ送られる。第２熱交換器（１０４）へ流入した冷媒は、第１空気との熱交換を行い、第１空気から吸熱して蒸発する。第２熱交換器（１０４）で蒸発した冷媒は、第１熱交換器（１０３）で蒸発した冷媒と合流した後に圧縮機（１０１）へ吸入される。圧縮機（１０１）へ吸入された冷媒は、圧縮された後に吐出される。
【０１８１】
この第２運転動作を行う場合、加湿された第２空気は、第１熱交換器（１０３）で冷却された後に室内へ供給される。その際、第１熱交換器（１０３）で第２空気中の水分が結露するのを防止し、加湿量の減少を回避するのが望ましい。従って、この第２運転動作時には、第１熱交換器（１０３）での冷媒流量を第２熱交換器（１０４）での冷媒流量よりも少なく設定し、第１熱交換器（１０３）における冷媒の吸熱量を低く抑えるのが望ましい。
【０１８２】
加湿運転時の第３運転動作について説明する。この第３運転動作において、四方切換弁（１２０）は、第１ポート（１２１）と第４ポート（１２４）が互いに連通して第２ポート（１２２）と第３ポート（１２３）が互いに連通する状態となる。また、第１電動膨張弁（１１１）は全閉状態とされ、第２電動膨張弁（１１２）は開度が運転条件に応じて適宜調節される。
【０１８３】
この状態で圧縮機（１０１）を運転すると、冷媒回路（１００）で冷媒が循環して冷凍サイクルが行われる。その際、冷媒回路（１００）では、再生熱交換器（１０２）と第１熱交換器（１０３）の両方が凝縮器となり、第２熱交換器（１０４）が蒸発器となる（図１３参照）。また、再生熱交換器（１０２）と第１熱交換器（１０３）は、冷媒の循環方向において互いに並列となっている。つまり、この第２運転動作時の冷媒回路（１００）では、上記実施形態１の加湿運転時とは異なり、第１熱交換器（１０３）において冷媒と第２空気の熱交換が行われる。
【０１８４】
具体的に、圧縮機（１０１）から吐出された冷媒は、二手に分流される。分流された冷媒は、その一方が再生熱交換器（１０２）へ送られ、他方が四方切換弁（１２０）を通って第１熱交換器（１０３）へ送られる。
【０１８５】
再生熱交換器（１０２）へ流入した冷媒は、第２空気との熱交換を行い、第２空気に放熱して凝縮する。再生熱交換器（１０２）で凝縮した冷媒は、レシーバ（１０５）へ流入する。一方、第１熱交換器（１０３）へ流入した冷媒は、第２空気との熱交換を行い、第２空気に放熱して凝縮する。第１熱交換器（１０３）で凝縮した冷媒は、第２逆止弁（１５２）を通り、再生熱交換器（１０２）で凝縮した冷媒と共にレシーバ（１０５）へ流入する。
【０１８６】
レシーバ（１０５）から流出した冷媒は、第２電動膨張弁（１１２）へ送られる。この冷媒は、第２電動膨張弁（１１２）を通過する際に減圧され、その後に第２熱交換器（１０４）へ送られる。第２熱交換器（１０４）へ流入した冷媒は、第１空気との熱交換を行い、第１空気から吸熱して蒸発する。第２熱交換器（１０４）で蒸発した冷媒は、圧縮機（１０１）へ吸入されて圧縮され、その後に圧縮機（１０１）から吐出される。
【０１８７】
この第３運転動作時において、第１熱交換器（１０３）では、吸着素子（８１，８２）を通過後の第２空気に対して冷媒が放熱する。つまり、第２空気は、吸着素子（８１，８２）で加湿され、更に第１熱交換器（１０３）で加熱されてから室内へ供給される。
【０１８８】
加湿運転の第１，第２及び第３運転動作時において、冷媒回路（１００）で循環する冷媒は、第２熱交換器（１０４）で第１空気から吸熱し、再生熱交換器（１０２）で第２空気へ放熱する。つまり、第２熱交換器（１０４）では室外へ排気される第１空気からの熱回収が行われ、第２熱交換器（１０４）で回収された熱が再生熱交換器（１０２）における第２空気の加熱に利用される。
【０１８９】
《コントローラの動作》
コントローラ（２００）の動作について説明する。
【０１９０】
運転動作切換部（２０１）は、リモコン等からの入力に応じて除湿運転時の各運転動作や加湿運転の各運転動作を切り換える。また、運転動作切換部（２０１）は、除湿運転時や加湿運転時において、第１動作と第２動作を所定の時間毎に相互に切り換える。
【０１９１】
通常制御部（２０２）は、第１動作中及び第２動作中において、圧縮機（１０１）の容量や電動膨張弁（１１１，１１２）の開度を適宜調節する。具体的に、通常制御部（２０２）は、再生熱交換器（１０２）から吸着素子（８１，８２）へ送られる第２空気の温度が所定の設定値となるように、圧縮機モータの回転数を増減させる。また、通常制御部（２０２）は、蒸発器として機能している第１，第２熱交換器（１０３，１０４）出口での冷媒過熱度が所定の設定値となるように、第１，第２電動膨張弁（１１１，１１２）の開度を増減させる。
【０１９２】
つまり、除湿運転時において、通常制御部（２０２）は、第１運転動作中であれば第１電動膨張弁（１１１）の開度だけを調節し、第２運転動作中であれば第１及び第２電動膨張弁（１１１，１１２）の開度を調節する。一方、加湿運転時において、通常制御部（２０２）は、第１，第３運転動作中であれば第２電動膨張弁（１１２）の開度だけを調節し、第２運転動作中であれば第１及び第２電動膨張弁（１１１，１１２）の開度を調節する。
【０１９３】
本実施形態の切換用制御部（２０３）が行う制御動作について、除湿運転の第１運転動作中に第１動作から第２動作へ切り換わる場合を例に説明する。この場合には、第１電動膨張弁（１１１）が通常制御部（２０２）による開度制御の対象となっている。そして、切換用制御部（２０３）は、この第１電動膨張弁（１１１）だけを操作する。
【０１９４】
尚、切換用制御部（２０３）は、除湿運転時や加湿運転時の第２運転動作中であれば第１及び第２電動膨張弁（１１１，１１２）の操作を行い、加湿運転時の第１及び第３運転動作中であれば第２電動膨張弁（１１２）の操作だけを行う。
【０１９５】
切換用制御部（２０３）は、第１動作から第２動作への切り換えとほぼ同時に、第１電動膨張弁（１１１）の開度を拡大する。具体的には、第１電動膨張弁（１１１）の開度を、通常制御部（２０２）の制御動作により設定されていた開度から所定値だけ拡大する。第１電動膨張弁（１１１）の開度を拡大すると、蒸発器となっている第１熱交換器（１０３）へ第１電動膨張弁（１１１）から送られる低圧冷媒の圧力が上昇し、第１熱交換器（１０３）における冷媒蒸発温度が上昇する。尚、第１電動膨張弁（１１１）の開度をどの程度拡大するかは、その時の運転条件に基づいて、その度毎に切換用制御部（２０３）が算出する。
【０１９６】
このように、第１動作から第２動作へ切り換わる際には、第１熱交換器（１０３）へ送られる第１空気の温度が急上昇するが、その一方で第１熱交換器（１０３）における冷媒蒸発温度も上昇する。そのため、第１空気の温度が上昇しても、単位時間当たりに第１熱交換器（１０３）で冷媒が第１空気から吸収する熱量は概ね一定に保たれる。そして、第１熱交換器（１０３）から圧縮機（１０１）へ送られる冷媒の過熱度も、概ね一定に保たれる。
【０１９７】
第１動作から第２動作への切り換え、あるいは第２動作から第１動作への切り換えが完了した後は、通常制御部（２０２）による第１電動膨張弁（１１１）の開度制御が再開される。尚、第１動作と第２動作の相互切り換えが完了した後も、所定の時間に亘って切換用制御部（２０３）の制御動作を継続し、第１電動膨張弁（１１１）の開度を大きく保持し続けてもよい。
【０１９８】
−実施形態３の効果−
本実施形態３によれば、第１動作と第２動作を相互に切り換えた後において、第１，第２電動膨張弁（１１１，１１２）の開度を拡大し、第１，第２熱交換器（１０３，１０４）での冷媒蒸発温度を上昇させることができる。つまり、第１，第２熱交換器（１０３，１０４）へ送られる第１空気の温度が上昇した運転状態では、この第１空気の温度上昇に合わせて第１，第２熱交換器（１０３，１０４）での冷媒蒸発温度を引き上げることができる。
【０１９９】
このため、第１，第２熱交換器（１０３，１０４）の出口における冷媒の過熱度、即ち圧縮機（１０１）へ吸入される冷媒の過熱度が大きくなり過ぎるのを回避できる。従って、本実施形態によれば、第１空気の温度が上昇した場合にも圧縮機（１０１）が吸入する冷媒の過熱度を小さく保つことができ、第１動作と第２動作の相互切換時に第１，第２電動膨張弁（１１１，１１２）を操作しない場合に比べ、圧縮機モータの消費電力を削減することができる。
【０２００】
−実施形態３の変形例−
本実施形態の切換用制御部（２０３）においては、上記実施形態２の変形例と同様に、第１動作と第２動作が相互に切り換えられる前に、予め第１，第２電動膨張弁（１１１，１１２）の開度を拡大するようにしてもよい。また、本実施形態の切換用制御部（２０３）においては、上記実施形態１と同様に、第１動作と第２動作が相互に切り換えられる際に圧縮機（１０１）の容量を強制的に引き下げるようにしてもよい。
【０２０１】
【発明の実施の形態４】
本発明の実施形態４は、上記実施形態１において、コントローラ（２００）の切換用制御部（２０３）の構成を変更したものである。本実施形態の調湿装置について、この切換用制御部（２０３）以外の構成は上記実施形態１と同様である。
【０２０２】
本実施形態の切換用制御部（２０３）は、第１動作と第２動作を相互に切り換える際に第１空気の流量を一時的に削減する制御動作を行うように構成されている。つまり、第１動作と第２動作が相互に切り換えられるときに、切換用制御部（２０３）は、給気ファン（９５）又は排気ファン（９６）の回転数を一時的に低下させ、吸着素子（８１，８２）から第１又は第２熱交換器（１０３，１０４）へ送られる第１空気の流量を減少させる。この切換用制御部（２０３）の制御動作は、第１動作と第２動作が相互に切り換わる際に蒸発器となっている第１又は第２熱交換器（１０３，１０４）で冷媒が吸収する熱量の増大を抑制するために行われる。
【０２０３】
−運転動作−
本実施形態の切換用制御部（２０３）が行う制御動作について、除湿運転中に第１動作から第２動作へ切り換わる場合を例に説明する。この場合、調湿装置では、給気ファン（９５）によって吸引された室外空気が、第１空気として流通している。そこで、切換用制御部（２０３）は、給気ファン（９５）の回転数を変更する。
【０２０４】
尚、加湿運転中においては、排気ファン（９６）によって吸引された室内空気が第１空気となるため、切換用制御部（２０３）が排気ファン（９６）の回転数を変更する。
【０２０５】
切換用制御部（２０３）は、第１動作から第２動作への切り換えとほぼ同時に、給気ファン（９５）の回転数を低下させる。具体的には、給気ファン（９５）の回転数を、通常時の値から所定値だけ低くする。給気ファン（９５）の回転数をどの程度下げるかは、その時の運転条件に基づいて、その度毎に切換用制御部（２０３）が算出する。
【０２０６】
給気ファン（９５）の回転数を下げると、蒸発器となっている第１熱交換器（１０３）へ送られる第１空気の流量が減少する。つまり、第１熱交換器（１０３）で冷媒と熱交換する第１空気の流量が減少する。第１熱交換器（１０３）に対する第１空気の供給量が減少すると、その第１空気の温度が急激に上昇しても、単位時間当たりに第１熱交換器（１０３）で冷媒が第１空気から吸収する熱量は、概ね一定に保たれる。そして、第１熱交換器（１０３）から圧縮機（１０１）へ送られる冷媒の過熱度も、概ね一定に保たれる。
【０２０７】
−実施形態４の効果−
本実施形態４によれば、第１動作と第２動作を相互に切り換えた後において、第１空気の流量を一時的に低く設定できる。つまり、第１又は第２熱交換器（１０３，１０４）へ送られる第１空気の温度が上昇した運転状態では、温度上昇した第１空気の流量を削減することができる。このため、第１又は第２熱交換器（１０３，１０４）の出口における冷媒の過熱度、即ち圧縮機（１０１）へ吸入される冷媒の過熱度が大きくなり過ぎるのを回避できる。従って、本実施形態によれば、第１空気の温度が上昇した場合にも圧縮機（１０１）が吸入する冷媒の過熱度を小さく保つことができ、圧縮機（１０１）に対する入力を小さく保つことができる。
【図面の簡単な説明】
【図１】実施形態１に係る調湿装置の構成および除湿運転中の第１動作を示す分解斜視図である。
【図２】実施形態１に係る調湿装置での除湿運転中の第２動作を示す分解斜視図である。
【図３】実施形態１に係る調湿装置での加湿運転中の第１動作を示す分解斜視図である。
【図４】実施形態１に係る調湿装置での加湿運転中の第２動作を示す分解斜視図である。
【図５】実施形態１に係る調湿装置の要部を示す概略構成図である。
【図６】実施形態１に係る調湿装置の吸着素子を示す概略斜視図である。
【図７】実施形態１に係る冷媒回路の構成を示す配管系統図である。
【図８】実施形態１に係るコントローラの構成を示すブロック図である。
【図９】実施形態１に係る調湿装置の除湿運転時の動作を概念的に示す説明図である。
【図１０】実施形態１に係る調湿装置の加湿運転時の動作を概念的に示す説明図である。
【図１１】実施形態３に係る冷媒回路の構成を示す配管系統図である。
【図１２】実施形態３に係る調湿装置の運転動作を概念的に示す説明図である。
【図１３】実施形態３に係る調湿装置の運転動作を概念的に示す説明図である。
【符号の説明】
（８１）  第１吸着素子
（８２）  第２吸着素子
（１００）  冷媒回路
（１０１）  圧縮機
（１０２）  再生熱交換器（凝縮用熱交換器）
（１０３）  第１熱交換器（蒸発用熱交換器）
（１０４）  第２熱交換器（蒸発用熱交換器）
（１１０）  電動膨張弁（膨張機構）
（１１１）  第１電動膨張弁（膨張機構）
（１１２）  第２電動膨張弁（膨張機構）
（２００）  コントローラ（制御手段）
【図１】
0003624893.tif 000002
【図２】
0003624893.tif 000003
【図３】
0003624893.tif 000004
【図４】
0003624893.tif 000005
【図５】
0003624893.tif 000006
【図６】
0003624893.tif 000007
【図７】
0003624893.tif 000008
【図８】
0003624893.tif 000009
【図９】
0003624893.tif 000010
【図１０】
0003624893.tif 000011
【図１１】
0003624893.tif 000012
【図１２】
0003624893.tif 000013
【図１３】
0003624893.tif 000014